(57)【特許請求の範囲】
【請求項１】
ユーザ機器(UE)のワイヤレス通信の方法であって、
周波数ホッピングがマルチキャスト制御チャネルに対して有効にされているかどうかを示す第1のホッピングインジケータを受信するステップと、
複数のマルチキャストサービスに対応する複数のマルチキャストトラフィックチャネルの各々のための第2のホッピングインジケータを受信するステップであって、それぞれの第2のホッピングインジケータは、少なくとも、周波数ホッピングが前記複数のマルチキャストトラフィックチャネルの対応するマルチキャストトラフィックチャネルに対して有効にされているかどうかを個別に示す、ステップと、
前記第1のホッピングインジケータと、前記複数のマルチキャストトラフィックチャネルの各々のための前記第2のホッピングインジケータとの両方に少なくとも基づいて、周波数ホッピングが、前記マルチキャスト制御チャネルまたは前記複数のマルチキャストトラフィックチャネルに対して有効にされているかどうかを判断するステップと、
前記周波数ホッピングが前記マルチキャスト制御チャネルまたは前記マルチキャストトラフィックチャネルに対して有効にされているとき、前記第1のホッピングインジケータおよび前記第2のホッピングインジケータを送る構成情報信号に少なくとも1つのホッピングパターンを定義するホッピングパラメータが含まれているかどうかに基づいて、前記マルチキャスト制御チャネルまたは前記マルチキャストトラフィックチャネルにおいてマルチキャスト送信を受信するための少なくとも1つのホッピングパターンを判断するステップと、
前記判断された少なくとも1つのホッピングパターンに基づいて、前記マルチキャスト制御チャネルまたは前記マルチキャストトラフィックチャネルにおいて前記マルチキャスト送信を受信するステップとを含む方法。
【請求項２】
受信されたシステム情報ブロック(SIB)中のホッピングパラメータに基づいて、1つまたは複数のSIBを受信するためのセル固有ホッピングパターンを判断するステップであって、前記マルチキャスト制御チャネルまたは前記マルチキャストトラフィックチャネルにおいて前記マルチキャスト送信を受信するための前記少なくとも1つのホッピングパターンは、前記判断されたセル固有ホッピングパターンに基づいて判断される、ステップをさらに含む、請求項1に記載の方法。
【請求項３】
前記少なくとも1つのホッピングパターンは、前記マルチキャスト制御チャネルと前記マルチキャストトラフィックチャネルの両方のために使われる単一ホッピングパターンを含む、請求項1に記載の方法。
【請求項４】
前記少なくとも1つのホッピングパターンは、前記マルチキャスト制御チャネル用の第1のホッピングパターンおよび前記マルチキャストトラフィックチャネル用の第2のホッピングパターンを含む、請求項1に記載の方法。
【請求項５】
前記少なくとも1つのホッピングパターンは、前記マルチキャスト制御チャネル用の第1のホッピングパターンおよびマルチキャストトラフィックチャネルのセット用のホッピングパターンの第2のセットを含み、前記マルチキャストトラフィックチャネルのセットの各マルチキャストトラフィックチャネルは、前記ホッピングパターンの前記第2のセットの複数の異なるホッピングパターンのうちの1つに基づいて受信される、請求項1に記載の方法。
【請求項６】
前記少なくとも1つのホッピングパターンは、マルチキャスト制御チャネルのセット用のホッピングパターンの第1のセットおよびマルチキャストトラフィックチャネルのセット用のホッピングパターンの第2のセットを含み、前記マルチキャスト制御チャネルの前記セットの各マルチキャスト制御チャネルは、前記ホッピングパターンの前記第1のセットの第1の複数の異なるホッピングパターンのうちの1つに基づいて受信され、前記マルチキャストトラフィックチャネルのセットの各マルチキャストトラフィックチャネルは、前記ホッピングパターンの前記第2のセットの第2の複数の異なるホッピングパターンのうちの1つに基づいて受信される、請求項1に記載の方法。
【請求項７】
前記少なくとも1つのホッピングパターンの各ホッピングパターンは、ホッピングオフセット、ホッピングするべき狭帯域の数、またはホッピング持続時間のうちの少なくとも1つを含むホッピングパラメータに基づいて判断される、請求項1に記載の方法。
【請求項８】
ワイヤレス通信のための装置であって、
メモリと、
前記メモリに結合された少なくとも1つのプロセッサとを備え、前記少なくとも1つのプロセッサは、
周波数ホッピングがマルチキャスト制御チャネルに対して有効にされているかどうかを示す第1のホッピングインジケータを受信することと、
複数のマルチキャストサービスに対応する複数のマルチキャストトラフィックチャネルの各々のための第2のホッピングインジケータを受信することであって、それぞれの第2のホッピングインジケータは、少なくとも、周波数ホッピングが前記複数のマルチキャストトラフィックチャネルの対応するマルチキャストトラフィックチャネルに対して有効にされているかどうかを個別に示す、ことと、
前記第1のホッピングインジケータと、前記複数のマルチキャストトラフィックチャネルの各々のための前記第2のホッピングインジケータとの両方に少なくとも基づいて、周波数ホッピングが、前記マルチキャスト制御チャネルまたは前記複数のマルチキャストトラフィックチャネルに対して有効にされているかどうかを判断することと、
前記周波数ホッピングが前記マルチキャスト制御チャネルまたは前記マルチキャストトラフィックチャネルに対して有効にされているとき、前記第1のホッピングインジケータおよび前記第2のホッピングインジケータを送る構成情報信号に少なくとも1つのホッピングパターンを定義するホッピングパラメータが含まれているかどうかに基づいて、前記マルチキャスト制御チャネルまたは前記マルチキャストトラフィックチャネルにおいてマルチキャスト送信を受信するための少なくとも1つのホッピングパターンを判断することと、
前記判断された少なくとも1つのホッピングパターンに基づいて、前記マルチキャスト制御チャネルまたは前記マルチキャストトラフィックチャネルにおいて前記マルチキャスト送信を受信することとを行うように構成される、装置。
【請求項９】
前記少なくとも1つのプロセッサは、
受信されたシステム情報ブロック(SIB)中のホッピングパラメータに基づいて、1つまたは複数のSIBを受信するためのセル固有ホッピングパターンを判断することであって、前記マルチキャスト制御チャネルまたは前記マルチキャストトラフィックチャネルにおいて前記マルチキャスト送信を受信するための前記少なくとも1つのホッピングパターンは、前記判断されたセル固有ホッピングパターンに基づいて判断される、ことを行うようにさらに構成される、請求項8に記載の装置。
【請求項１０】
基地局のワイヤレス通信の方法であって、
周波数ホッピングがマルチキャスト制御チャネルに対して有効にされているかどうかを示す第1のホッピングインジケータを送信するステップと、
複数のマルチキャストサービスに対応する複数のマルチキャストトラフィックチャネルの各々のための第2のホッピングインジケータを送信するステップであって、それぞれの第2のホッピングインジケータは、少なくとも、周波数ホッピングが前記複数のマルチキャストトラフィックチャネルの対応するマルチキャストトラフィックチャネルに対して有効にされているかどうかを個別に示す、ステップと、
前記周波数ホッピングが前記マルチキャスト制御チャネルまたは前記マルチキャストトラフィックチャネルに対して有効にされているとき、少なくとも1つのホッピングパターンに基づいて、前記マルチキャスト制御チャネルまたは前記マルチキャストトラフィックチャネルにおいてマルチキャスト送信を送信するステップであって、前記少なくとも1つのホッピングパターンが、前記第1のホッピングインジケータおよび前記第2のホッピングインジケータを送る構成情報信号に少なくとも1つのホッピングパターンを定義するホッピングパラメータが含まれているかどうかに基づいて判断される、ステップとを含む方法。
【請求項１１】
1つまたは複数のシステム情報ブロック(SIB)用のセル固有ホッピングパターンに関する情報をSIB中で送信するステップをさらに含み、
前記マルチキャスト制御チャネルまたは前記マルチキャストトラフィックチャネルにおいて前記マルチキャスト送信を送信するための前記少なくとも1つのホッピングパターンは、前記セル固有ホッピングパターンに基づく、請求項10に記載の方法。
【請求項１２】
前記少なくとも1つのホッピングパターンの各ホッピングパターンは、前記基地局によって構成されたホッピングパラメータのセットに基づき、パラメータの前記セットは、ホッピングオフセット、ホッピングするべき狭帯域の数、またはホッピング持続時間のうちの1つまたは複数を含み、前記基地局は前記ホッピングパラメータのセットをさらに示す、請求項10に記載の方法。
【請求項１３】
前記少なくとも1つのホッピングパターンは、前記マルチキャスト制御チャネルと前記マルチキャストトラフィックチャネルの両方のために使われる単一ホッピングパターンを含む、請求項10に記載の方法。
【請求項１４】
前記少なくとも1つのホッピングパターンは、前記マルチキャスト制御チャネル用の第1のホッピングパターンおよび前記マルチキャストトラフィックチャネル用の第2のホッピングパターンを含む、請求項10に記載の方法。
【請求項１５】
前記少なくとも1つのホッピングパターンは、前記マルチキャスト制御チャネル用の第1のホッピングパターンおよびマルチキャストトラフィックチャネルのセット用のホッピングパターンの第2のセットを含み、前記マルチキャスト制御チャネルは、前記第1のホッピングパターンに基づいて送信され、前記マルチキャストトラフィックチャネルの前記セットの各マルチキャストトラフィックチャネルは、前記ホッピングパターンの前記第2のセットの複数の異なるホッピングパターンのうちの1つに基づいて送信される、請求項10に記載の方法。
【請求項１６】
前記少なくとも1つのホッピングパターンは、マルチキャスト制御チャネルのセット用のホッピングパターンの第1のセットおよびマルチキャストトラフィックチャネルのセット用のホッピングパターンの第2のセットを含み、前記マルチキャスト制御チャネルの前記セットの各マルチキャスト制御チャネルは、前記ホッピングパターンの前記第1のセットの第1の複数の異なるホッピングパターンのうちの1つに基づいて送信され、前記マルチキャストトラフィックチャネルの前記セットの各マルチキャストトラフィックチャネルは、前記ホッピングパターンの前記第2のセットの第2の複数の異なるホッピングパターンのうちの1つに基づいて送信される、請求項10に記載の方法。
【請求項１７】
ワイヤレス通信のための装置であって、
メモリと、
前記メモリに結合された少なくとも1つのプロセッサとを備え、前記少なくとも1つのプロセッサは、
周波数ホッピングがマルチキャスト制御チャネルに対して有効にされているかどうかを示す第1のホッピングインジケータを送信すること、
複数のマルチキャストサービスに対応する複数のマルチキャストトラフィックチャネルの各々のための第2のホッピングインジケータを送信することであって、それぞれの第2のホッピングインジケータは、少なくとも、周波数ホッピングが前記複数のマルチキャストトラフィックチャネルの対応するマルチキャストトラフィックチャネルに対して有効にされているかどうかを個別に示す、ことと、
前記周波数ホッピングが前記マルチキャスト制御チャネルまたは前記マルチキャストトラフィックチャネルに対して有効にされているとき、少なくとも1つのホッピングパターンに基づいて、前記マルチキャスト制御チャネルまたは前記マルチキャストトラフィックチャネルにおいてマルチキャスト送信を送信することであって、前記少なくとも1つのホッピングパターンが、前記第1のホッピングインジケータおよび前記第2のホッピングインジケータを送る構成情報信号に少なくとも1つのホッピングパターンを定義するホッピングパラメータが含まれているかどうかに基づいて判断される、こととを行うように構成される、装置。
【請求項１８】
前記少なくとも1つのプロセッサは、1つまたは複数のシステム情報ブロック(SIB)用のセル固有ホッピングパターンに関する情報をSIB中で送信するようにさらに構成され、
前記マルチキャスト制御チャネルまたは前記マルチキャストトラフィックチャネルにおいて前記マルチキャスト送信を送信するための前記少なくとも1つのホッピングパターンは前記セル固有ホッピングパターンに基づく、請求項17に記載の装置。
【請求項１９】
前記少なくとも1つのホッピングパターンは、前記マルチキャスト制御チャネル用の第1のホッピングパターンおよびマルチキャストトラフィックチャネルのセット用のホッピングパターンの第2のセットを含み、前記マルチキャスト制御チャネルは、前記第1のホッピングパターンに基づいて送信され、前記マルチキャストトラフィックチャネルの前記セットの各マルチキャストトラフィックチャネルは、前記ホッピングパターンの前記第2のセットの複数の異なるホッピングパターンのうちの1つに基づいて送信される、請求項17に記載の装置。
【発明の詳細な説明】
【技術分野】
【０００１】
関連出願の相互参照
本出願は、2016年11月4日に出願された「FREQUENCY HOPPING FOR MULTICAST TRANSMISSIONS FOR NARROWBAND DEVICES」と題するインド出願第201641037770号、および2017年7月20日に出願された「FREQUENCY HOPPING FOR MULTICAST SERVICE TRANSMISSIONS FOR NARROWBAND DEVICES」と題する米国特許出願第15/655,577号の利益を主張し、これらは全体が参照によって本明細書に明確に組み込まれる。
【０００２】
本開示は概して、通信システムに関し、より詳細には、狭帯域デバイス向けのマルチキャスト送信のための周波数ホッピングのための方法および装置に関する。
【背景技術】
【０００３】
ワイヤレス通信システムは、電話、ビデオ、データ、メッセージング、およびブロードキャストなど、様々な電気通信サービスを提供するために広く展開されている。典型的なワイヤレス通信システムは、利用可能なシステムリソースを共有することによって複数のユーザとの通信をサポートすることが可能な多元接続技術を利用することがある。そのような多元接続技術の例には、符号分割多元接続(CDMA)システム、時分割多元接続(TDMA)システム、周波数分割多元接続(FDMA)システム、直交周波数分割多元接続(OFDMA)システム、シングルキャリア周波数分割多元接続(SC-FDMA)システム、および時分割同期符号分割多元接続(TD-SCDMA)システムがある。
【０００４】
これらの多元接続技術は、異なるワイヤレスデバイスが自治体、国家、地域、さらには地球規模のレベルで通信するのを可能にする共通プロトコルを提供するために、様々な電気通信規格において採用されている。例示的な電気通信規格は5G新規無線(NR)である。5G NRは、レイテンシ、信頼性、セキュリティ、スケーラビリティ(たとえば、モノのインターネット(IoT)との)に関連する新しい要件、および他の要件を満たすように、第3世代パートナーシッププロジェクト(3GPP)によって公表された継続的なモバイルブロードバンドの進化の一部である。5G NRのいくつかの態様は、4Gロングタームエボリューション(LTE)規格に基づくことがある。5G NR技術のさらなる改善の必要がある。これらの改善はまた、他の多元接続技術、およびこれらの技術を採用する電気通信規格にも適用可能であり得る。
【発明の概要】
【発明が解決しようとする課題】
【０００５】
効率的な狭帯域ワイヤレス通信のための技法が望ましく、必要とされている。
【課題を解決するための手段】
【０００６】
以下は、1つまたは複数の態様の基本的理解を可能にするために、そのような態様の簡略化された概要を提示する。この概要は、すべての考えられる態様の包括的な概説ではなく、すべての態様の主要または重要な要素を特定することも、いずれかまたはすべての態様の範囲を定めることも意図していない。その唯一の目的は、後で提示されるより詳細な説明の導入として、1つまたは複数の態様のいくつかの概念を簡略化された形で提示することである。
【０００７】
拡張マシンタイプ通信(eMTC)および/または狭帯域のモノのインターネット(NB-IOT)デバイスなど、狭帯域(NB)を通信に使用する多くのデバイスは、サブフレーム中で、特定の狭帯域において受信し得る。そのようなデバイスが、たとえば、マルチキャスト送信により、マルチキャストサービスを受信することに関心があるとき、デバイスは、マルチキャストデータが送信されるサブフレームの特定のセットを呼び起こす必要があり得る。マルチキャスト送信は、マルチキャスト制御チャネル(MCCH)およびマルチキャストトラフィックチャネル(MTCH)におけるマルチキャスト送信を含み得る。いくつかの構成では、マルチキャスト送信は、単一セル1対多地点(SC-PTM)送信を含む。周波数ダイバーシティを活用するために、NBでのマルチキャスト送信は、サブフレームにわたってホッピングされる場合がある。
【０００８】
狭帯域デバイス、たとえば、さらに拡張されたマシンタイプ通信(FeMTC:further enhanced Machine Type Communication)デバイスおよび/またはIOTタイプデバイス用のブロードキャスト/マルチキャストサービス関連送信のための周波数ホッピングのための方法および装置に関連した様々な特徴について記載する。いくつかの構成では、マルチキャスト制御およびトラフィックチャネルにおけるマルチキャストサービス関連送信用に使われるホッピングパターンは、事前構成されたホッピングパラメータを使って判断され得る。いくつかの構成では、ホッピングパラメータは、ホッピング有効化フラグ、ホッピングオフセット、ホッピングするべき狭帯域の数、およびホッピング持続時間のうちのいずれをも含み得る。
【０００９】
周波数ダイバーシティを利用するために、マルチキャスト送信、たとえば、単一セルマルチキャスト制御チャネル(SC-MCCH)送信および単一セルマルチキャストトラフィックチャネル(SC-MTCH)送信などのSC-PTM送信が、周波数にわたってホッピングされ得る。したがって、ある態様によると、周波数ダイバーシティを有利に活用するために、(たとえば、マルチキャスト制御およびトラフィックチャネルに対応する)狭帯域周波数上でのマルチキャストサービス関連送信が、サブフレームにわたってホッピングされ得る。様々な実施形態は、マルチキャスト制御およびトラフィックチャネル用のホッピングパターンを構成するための異なる選択肢を記載する。いくつかの構成では、マルチキャスト送信用のホッピングパラメータは、システム情報ブロック(SIB)中で受信されたセル固有ホッピングパラメータから判断され得る。いくつかの他の構成では、MCCHおよびMTCHにおけるマルチキャスト送信用のホッピングパラメータは、独自に構成され、ネットワークからの別個のシグナリングによりマルチキャストサービスを受信することに関心があるデバイスに通信され得る。ある態様によると、マルチキャスト制御チャネルおよびマルチキャストトラフィックチャネルについての周波数ホッピングアクティブ化は、独自に構成され、デバイスにシグナリングされ得る。したがって、ネットワークは、マルチキャスト制御チャネルおよびマルチキャストトラフィックチャネル用に周波数ホッピングが有効にされているかどうかを、マルチキャストサービスを受信することに関心があるデバイスにシグナリングするように、独自であり別個のインジケータを構成すればよい。
【００１０】
いくつかの態様では、ホッピングパラメータの同じセットが、すべてのマルチキャスト送信用に、たとえば、同じホッピングパラメータが、マルチキャスト制御チャネルおよびマルチキャストトラフィックチャネルにおけるすべてのマルチキャスト送信用に使われ得る。したがって、いくつかの態様では、デバイス、たとえば、ユーザ機器(UE)が、マルチキャスト制御チャネルにおけるマルチキャスト送信、たとえば、SC-MCCH送信などと、SC-MTCHマルチキャスト送信など、マルチキャストトラフィックチャネルにおけるマルチキャスト送信の両方を受信するための同じ、たとえば、1つの単一ホッピングパターンを判断し、使うことができる。いくつかの他の構成では、マルチキャスト制御チャネルにおけるすべてのマルチキャスト送信用のパラメータのあるセットが使われてよく、パラメータの別のセット、たとえば、異なるセットが、マルチキャストトラフィックチャネルにおけるすべてのマルチキャスト送信用に使われてよい。
【００１１】
本開示の一態様では、方法、コンピュータ可読媒体、および装置が提供される。装置、たとえば、UEは、周波数ホッピングが、マルチキャスト制御チャネルまたはマルチキャストトラフィックチャネルのうちの少なくとも1つに対して有効にされているかどうかを示す信号を受信するように構成されてよく、信号は、周波数ホッピングがマルチキャスト制御チャネルに対して有効にされているかどうかを示す第1のホッピングインジケータまたは周波数ホッピングがマルチキャストトラフィックチャネルに対して有効にされているかどうかを示す第2のホッピングインジケータのうちの少なくとも1つを含む。装置は、受信された信号に基づいて、周波数ホッピングが、マルチキャスト制御チャネルまたはマルチキャストトラフィックチャネルのうちの少なくとも1つに対して有効にされているかどうかを判断するようにさらに構成され得る。
【００１２】
本開示の別の態様では、方法、コンピュータ可読媒体、および装置が提供される。装置は、周波数ホッピングが、マルチキャスト制御チャネルまたはマルチキャストトラフィックチャネルのうちの少なくとも1つに対して有効にされているかどうかを示す信号を送信するように構成された基地局であってよく、信号は、周波数ホッピングがマルチキャスト制御チャネルに対して有効にされているかどうかを示す第1のホッピングインジケータまたは周波数ホッピングがマルチキャストトラフィックチャネルに対して有効にされているかどうかを示す第2のホッピングインジケータのうちの少なくとも1つを含む。装置は、周波数ホッピングがマルチキャスト制御チャネルまたはマルチキャストトラフィックチャネルのうちの少なくとも1つに対して有効にされているとき、少なくとも1つのホッピングパターンに基づいて、マルチキャスト制御チャネルまたはマルチキャストトラフィックチャネルのうちの少なくとも1つにおいてマルチキャスト送信を送信するようにさらに構成され得る。
【００１３】
上記の関係する目的の達成のために、1つまたは複数の態様が、以下で十分に説明されるとともに特に特許請求の範囲において指摘される特徴を備える。以下の説明および添付の図面は、1つまたは複数の態様のいくつかの例示的な特徴を詳細に記載する。これらの特徴は、しかしながら、様々な態様の原理が利用され得る様々な方法のいくつかしか示しておらず、この説明は、すべてのそのような態様と、それらの等価物とを含むことが意図されている。
【図面の簡単な説明】
【００１４】
【図１】ワイヤレス通信システムおよびアクセスネットワークの例を示す図である。
【図２Ａ】DLフレーム構造のLTEの例を示す図である。
【図２Ｂ】DLフレーム構造内のDLチャネルのLTEの例を示す図である。
【図２Ｃ】ULフレーム構造のLTEの例を示す図である。
【図２Ｄ】ULフレーム構造内のULチャネルのLTEの例を示す図である。
【図３】アクセスネットワーク内の発展型ノードB(eNB)およびユーザ機器(UE)の例を示す図である。
【図４Ａ】アクセスネットワークにおけるマルチキャストブロードキャスト単一周波数ネットワークエリアの例を示す図である。
【図４Ｂ】マルチキャストブロードキャスト単一周波数ネットワークにおける発展型マルチメディアブロードキャストマルチキャストサービスチャネル構成の例を示す図である。
【図４Ｃ】マルチキャストチャネル(MCH)スケジューリング情報(MSI)媒体アクセス制御要素のフォーマットを示す図である。
【図５】例示的構成による、例示的通信システムおよびデバイスの間のシグナリングを示す図である。
【図６】例示的ホッピングパターンおよび様々なホッピングパラメータを示す図である。
【図７】別の例示的ホッピングパターンおよび様々な対応するホッピングパラメータを示す図である。
【図８】例示的実施形態による、UEのワイヤレス通信の方法のフローチャートである。
【図９】例示的装置、たとえばUEの中の異なる手段/コンポーネントの間のデータフローを示す概念データフロー図である。
【図１０】処理システムを使用する装置のためのハードウェア実装の例を示す図である。
【図１１】例示的実施形態による、基地局のワイヤレス通信の方法のフローチャートである。
【図１２】例示的装置、たとえば基地局の中の異なる手段/コンポーネントの間のデータフローを示す概念データフロー図である。
【図１３】処理システムを使用する装置のためのハードウェア実装の例を示す図である。
【発明を実施するための形態】
【００１５】
添付の図面に関して以下に記載する詳細な説明は、様々な構成の説明として意図されており、本明細書において説明する概念が実践される場合がある唯一の構成を表すことは意図されていない。詳細な説明は、様々な概念の完全な理解を提供する目的のための具体的な詳細を含む。しかしながら、これらの概念はこれらの具体的な詳細がなくても実践され得ることが、当業者には明らかであろう。いくつかの事例では、よく知られている構造およびコンポーネントは、そのような概念を不明瞭にすることを避けるためにブロック図の形で示される。
【００１６】
以下で、電気通信システムのいくつかの態様が、様々な装置および方法を参照して提示される。これらの装置および方法は、以下の詳細な説明において説明され、(「要素」と総称される)様々なブロック、コンポーネント、回路、プロセス、アルゴリズムなどによって添付の図面において示される。これらの要素は、電子ハードウェア、コンピュータソフトウェア、またはそれらの任意の組合せを使用して実装される場合がある。そのような要素がハードウェアとして実装されるのか、それともソフトウェアとして実装されるのかは、具体的な適用例および全体的なシステムに課された設計制約に依存する。
【００１７】
例として、要素、または要素の任意の部分、または要素の任意の組合せは、1つまたは複数のプロセッサを含む「処理システム」として実装されることがある。プロセッサの例には、マイクロプロセッサ、マイクロコントローラ、グラフィックス処理ユニット(GPU)、中央処理ユニット(CPU)、アプリケーションプロセッサ、デジタル信号プロセッサ(DSP)、縮小命令セットコンピューティング(RISC)プロセッサ、システムオンチップ(SoC)、ベースバンドプロセッサ、フィールドプログラマブルゲートアレイ(FPGA)、プログラマブル論理デバイス(PLD)、状態機械、ゲート論理、個別ハードウェア回路、および本開示全体にわたって記載される様々な機能を実施するように構成された他の適切なハードウェアが含まれる。処理システムの中の1つまたは複数のプロセッサが、ソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアコンポーネント、アプリケーション、ソフトウェアアプリケーション、ソフトウェアパッケージ、ルーチン、サブルーチン、オブジェクト、実行ファイル、実行スレッド、プロシージャ、関数などを意味するように広く解釈されるべきである。
【００１８】
したがって、1つまたは複数の例示的な実施形態では、説明される機能は、ハードウェア、ソフトウェア、またはそれらの任意の組合せで実装されることがある。ソフトウェアで実装される場合、機能は、コンピュータ可読媒体上に記憶されるか、またはコンピュータ可読媒体上に1つもしくは複数の命令もしくはコードとして符号化される場合がある。コンピュータ可読媒体は、コンピュータ記憶媒体を含む。記憶媒体は、コンピュータによってアクセス可能な任意の利用可能な媒体であり得る。限定ではない例として、そのようなコンピュータ可読媒体は、ランダムアクセスメモリ(RAM)、読取り専用メモリ(ROM)、電気的消去可能プログラマブルROM(EEPROM)、光ディスクストレージ、磁気ディスクストレージ、他の磁気ストレージデバイス、上述のタイプのコンピュータ可読媒体の組合せ、または、コンピュータによってアクセス可能な命令もしくはデータ構造の形態のコンピュータ実行可能コードを記憶するために使用可能な任意の他の媒体を備えることができる。
【００１９】
図1は、ワイヤレス通信システムおよびアクセスネットワーク100の例を示す図である。ワイヤレス通信システム(ワイヤレスワイドエリアネットワーク(WWAN)とも呼ばれる)は、基地局102、UE104、および発展型パケットコア(EPC)160を含む。基地局102は、マクロセル(高電力セルラー基地局)および/またはスモールセル(低電力セルラー基地局)を含み得る。マクロセルは基地局を含む。スモールセルは、フェムトセル、ピコセル、およびマイクロセルを含む。
【００２０】
基地局102(発展型ユニバーサルモバイルテレコミュニケーションシステム(UMTS)地上波無線アクセスネットワーク(E-UTRAN)と総称される)は、バックホールリンク132(たとえば、S1インターフェース)を介してEPC160とインターフェースする。他の機能に加えて、基地局102は、ユーザデータの転送、無線チャネルの暗号化および解読、完全性保護、ヘッダ圧縮、モビリティ制御機能(たとえば、ハンドオーバー、デュアル接続性)、セル間干渉協調、接続セットアップおよび解放、負荷分散、非アクセス層(NAS)メッセージのための分配、NASノード選択、同期、無線アクセスネットワーク(RAN)共有、マルチメディアブロードキャストマルチキャストサービス(MBMS)、加入者および機器の追跡、RAN情報管理(RIM)、ページング、測位、ならびに警告メッセージの配信という機能のうちの1つまたは複数を実施することができる。基地局102は、バックホールリンク134(たとえば、X2インターフェース)上で互いに直接的または(たとえば、EPC160を介して)間接的に通信することができる。バックホールリンク134はワイヤードまたはワイヤレスであり得る。
【００２１】
基地局102はUE104とワイヤレスに通信し得る。基地局102の各々は、それぞれの地理的カバレージエリア110に通信カバレージを提供し得る。重複する地理的カバレージエリア110が存在する場合がある。たとえば、スモールセル102'は、1つまたは複数のマクロ基地局102のカバレージエリア110と重複するカバレージエリア110'を有する場合がある。スモールセルとマクロセルの両方を含むネットワークは、異種ネットワークとして知られていることがある。異種ネットワークは、限定加入者グループ(CSG)として知られる限定グループにサービスを提供し得るホーム発展型ノードB(eNB)(HeNB)を含むこともある。基地局102とUE104との間の通信リンク120は、UE104から基地局102への(逆方向リンクとも呼ばれる)アップリンク(UL)送信、および/または基地局102からUE104への(順方向リンクとも呼ばれる)ダウンリンク(DL)送信を含むことがある。通信リンク120は、空間多重化、ビームフォーミング、および/または送信ダイバーシティを含む、多入力多出力(MIMO)アンテナ技術を使用し得る。通信リンクは、1つまたは複数のキャリアを介することがある。基地局102/UE104は、各方向における送信に使用される合計YxMHz(x個のコンポーネントキャリア)までのキャリアアグリゲーションにおいて割り振られた、キャリア当たりYMHz(たとえば、5、10、15、20、100MHz)までの帯域幅のスペクトルを使用することができる。キャリアは、互いに隣接する場合も、隣接しない場合もある。キャリアの割振りは、DLおよびULに関して非対称であることがある(たとえば、DLに対して、ULよりも多数または少数のキャリアが割り振られることがある)。コンポーネントキャリアは、1次コンポーネントキャリアと、1つまたは複数の2次コンポーネントキャリアとを含むことがある。1次コンポーネントキャリアは1次セル(PCell)と呼ばれることがあり、2次コンポーネントキャリアは2次セル(SCell)と呼ばれることがある。
【００２２】
いくつかのUE104は、デバイス対デバイス(D2D)通信リンク192を使用して互いに通信し得る。D2D通信リンク192はDL/UL WWANスペクトルを使用し得る。D2D通信リンク192は、物理サイドリンクブロードキャストチャネル(PSBCH)、物理サイドリンク発見チャネル(PSDCH)、物理サイドリンク共有チャネル(PSSCH)、および物理サイドリンク制御チャネル(PSCCH)など、1つまたは複数のサイドリンクチャネルを使うことができる。D2D通信は、たとえば、FlashLinQ、WiMedia、Bluetooth(登録商標)、ZigBee、IEEE802.11規格に基づくWi-Fi、LTE、またはNRなど、様々なワイヤレスD2D通信システムを通してよい。
【００２３】
ワイヤレス通信システムは、5GHz無認可周波数スペクトル内で通信リンク154を介してWi-Fi局(STA)152と通信しているWi-Fiアクセスポイント(AP)150をさらに含む場合がある。無認可周波数スペクトル内で通信するとき、STA152/AP150は、チャネルが利用可能であるかどうかを判断するために、通信するより前にクリアチャネルアセスメント(CCA)を実施することができる。
【００２４】
スモールセル102'は、認可および/または無認可の周波数スペクトル内で動作し得る。無認可周波数スペクトル内で動作しているとき、スモールセル102'は、NRを採用し、Wi-Fi AP150によって使用されるのと同じ5GHz無認可周波数スペクトルを使用してよい。無認可周波数スペクトル内でNRを採用するスモールセル102'は、アクセスネットワークへのカバレージをブーストすること、および/またはアクセスネットワークの容量を増加させることができる。
【００２５】
gノードB(gNB)180は、UE104と通信するときにミリメートル波(mmW)周波数および/または準mmW周波数(near mmW frequency)で動作し得る。gNB180がmmW周波数または準mmW周波数で動作するとき、gNB180はmmW基地局と呼ばれ得る。極高周波数(EHF)は、電磁スペクトルにおけるRFの一部である。EHFは、30GHz〜300GHzの範囲および1ミリメートルから10ミリメートルの間の波長を有する。この帯域における電波は、ミリメートル波と呼ばれることがある。準mmWは、100ミリメートルの波長を有し、3GHzの周波数まで及ぶことがある。超高周波数(SHF)帯域は、センチメートル波とも呼ばれ、3GHzから30GHzの間に及ぶ。mmW/準mmW無線周波数帯域を使用する通信は、極めて高い経路損失および短い範囲を有する。mmW基地局180は、極めて高い経路損失および短距離を補償するために、UE104に対してビームフォーミング184を利用し得る。
【００２６】
EPC160は、モビリティ管理エンティティ(MME)162、他のMME164、サービングゲートウェイ166、マルチメディアブロードキャストマルチキャストサービス(MBMS)ゲートウェイ168、ブロードキャストマルチキャストサービスセンタ(BM-SC)170、およびパケットデータネットワーク(PDN)ゲートウェイ172を含み得る。MME162は、ホーム加入者サーバ(HSS)174と通信している場合がある。MME162は、UE104とEPC160との間のシグナリングを処理する制御ノードである。一般に、MME162はベアラおよび接続の管理を行う。すべてのユーザインターネットプロトコル(IP)パケットは、サービングゲートウェイ166を通して転送され、サービングゲートウェイ166自体は、PDNゲートウェイ172に接続される。PDNゲートウェイ172は、UEのIPアドレス割振りならびに他の機能を提供する。PDNゲートウェイ172およびBM-SC170は、IPサービス176に接続される。IPサービス176は、インターネット、イントラネット、IPマルチメディアサブシステム(IMS)、PSストリーミングサービス、および/または他のIPサービスを含むことがある。BM-SC170は、MBMSユーザサービスのプロビジョニングおよび配信のための機能を提供することができる。BM-SC170は、コンテンツプロバイダMBMS送信のためのエントリポイントとして働くことがあり、公衆陸上移動網(PLMN)内のMBMSベアラサービスを認可および開始するために使用されることがあり、MBMS送信をスケジュールするために使用されることがある。MBMSゲートウェイ168は、特定のサービスをブロードキャストするマルチキャストブロードキャスト単一周波数ネットワーク(MBSFN)エリアに属する基地局102にMBMSトラフィックを配信するために使用されることがあり、セッション管理(開始/停止)およびeMBMS関係の課金情報を収集することを担うことがある。
【００２７】
基地局は、gNB、ノードB、発展型ノードB(eNB)、アクセスポイント、トランシーバ基地局、無線基地局、無線トランシーバ、トランシーバ機能、基本サービスセット(BSS)、拡張サービスセット(ESS)、または他の何らかの適切な用語で呼ばれることもある。基地局102は、UE104にEPC160へのアクセスポイントを提供する。UE104の例には、携帯電話、スマートフォン、セッション開始プロトコル(SIP)電話、ラップトップ、携帯情報端末(PDA)、衛星無線、全地球測位システム、マルチメディアデバイス、ビデオデバイス、デジタルオーディオプレーヤ(たとえば、MP3プレーヤ)、カメラ、ゲーム機、タブレット、スマートデバイス、ウェアラブルデバイス、車両、電気メータ、ガスポンプ、トースタ、または任意の他の同様の機能デバイスがある。UE104の一部は、IoTデバイス(たとえば、パーキングメータ、ガスポンプ、トースタ、車両など)と呼ばれ得る。UE104は、局、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または他の何らかの適切な用語で呼ばれることもある。
【００２８】
やはり図1を参照すると、いくつかの態様では、基地局(たとえば、gNB180)は、周波数ホッピングが、マルチキャスト制御チャネルまたはマルチキャストトラフィックチャネルのうちの少なくとも1つに対して有効にされているかどうかを示す信号を送信し(198)、周波数ホッピングがマルチキャスト制御チャネルまたはマルチキャストトラフィックチャネルのうちの少なくとも1つに対して有効にされているとき、少なくとも1つのホッピングパターンに基づいて、マルチキャスト制御チャネルまたはマルチキャストトラフィックチャネルのうちの少なくとも1つにおいてマルチキャスト送信を送信し得る。送信される信号は、周波数ホッピングがマルチキャスト制御チャネルに対して有効にされているかどうかを示す第1のホッピングインジケータまたは周波数ホッピングがマルチキャストトラフィックチャネルに対して有効にされているかどうかを示す第2のホッピングインジケータのうちの少なくとも1つを含み得る。さらに、ある態様では、UE104は、周波数ホッピングが、マルチキャスト制御チャネルまたはマルチキャストトラフィックチャネルのうちの少なくとも1つに対して有効にされているかどうかを示す信号を受信し(198)、受信された信号に基づいて、周波数ホッピングが、マルチキャスト制御チャネルまたはマルチキャストトラフィックチャネルのうちの少なくとも1つに対して有効にされているかどうかを判断するように構成され得る。このコンテキストにおける様々な追加特徴については、後でより詳しく論じる。
【００２９】
図2Aは、DLフレーム構造の例を示す図200である。図2Bは、DLフレーム構造内のチャネルの例を示す図230である。図2Cは、ULフレーム構造の例を示す図250である。図2Dは、ULフレーム構造内のチャネルの例を示す図280である。他のワイヤレス通信技術は、異なるフレーム構造および/または異なるチャネルを有することがある。フレーム(10ms)は、等しいサイズの10個のサブフレームに分割され得る。各サブフレームは、2つの連続するタイムスロットを含み得る。2つのタイムスロットを表すためにリソースグリッドが使用されることがあり、各タイムスロットは、1つまたは複数の(物理RB(PRB)とも呼ばれる)同時のリソースブロック(RB)を含む。リソースグリッドは複数のリソース要素(RE)に分割される。ノーマルサイクリックプレフィックスの場合、RBは、合計84個のREについて、周波数領域に12個の連続するサブキャリアを含み、時間領域に7つの連続するシンボル(DLの場合はOFDMシンボル、ULの場合はSC-FDMAシンボル)を含み得る。拡張サイクリックプレフィックスの場合、RBは、合計で72個のREについて、周波数領域に12個の連続するサブキャリアを含み、時間領域に6個の連続するシンボルを含み得る。各REによって搬送されるビット数は、変調方式に依存する。
【００３０】
図2Aに示されるように、REのうちのいくつかは、UEにおけるチャネル推定のためのDL基準(パイロット)信号(DL-RS)を搬送する。DL-RSは、(共通RSと呼ばれることもある)セル固有基準信号(CRS)と、UE固有基準信号(UE-RS)と、チャネル状態情報基準信号(CSI-RS)とを含むことがある。図2Aは、(それぞれ、R0、R1、R2、およびR3として示された)アンテナポート0、1、2、および3のためのCRSと、(R5として示された)アンテナポート5のためのUE-RSと、(Rとして示された)アンテナポート15のためのCSI-RSとを示す。
【００３１】
図2Bは、フレームのDLサブフレーム内の様々なチャネルの例を示す。物理制御フォーマットインジケータチャネル(PCFICH)はスロット0のシンボル0内にあり、物理ダウンリンク制御チャネル(PDCCH)が1つのシンボルを占有するか、2つのシンボルを占有するか、または3つのシンボルを占有するかを示す制御フォーマットインジケータ(CFI)を搬送する(図2Bは、3つのシンボルを占有するPDCCHを示す)。PDCCHは、1つまたは複数の制御チャネル要素(CCE)内でダウンリンク制御情報(DCI)を搬送し、各CCEは9つのREグループ(REG)を含み、各REGはOFDMシンボルに4つの連続するREを含む。UEは、DCIも搬送するUE固有の拡張PDCCH(ePDCCH)で構成されることがある。ePDCCHは、2つ、4つ、または8つのRBペアを有することがある(図2Bは2つのRBペアを示し、各サブセットは1つのRBペアを含む)。物理ハイブリッド自動再送要求(ARQ)(HARQ)インジケータチャネル(PHICH)もスロット0のシンボル0内にあり、物理アップリンク共有チャネル(PUSCH)に基づいてHARQ肯定応答(ACK)/否定応答(NACK)フィードバックを示すHARQインジケータ(HI)を搬送する。1次同期チャネル(PSCH)は、フレームのサブフレーム0および5内のスロット0のシンボル6内にあり得る。PSCHは、サブフレーム/シンボルのタイミングおよび物理レイヤ識別情報を決定するためにUE104によって使用される、1次同期信号(PSS)を搬送する。2次同期チャネル(SSCH)は、フレームのサブフレーム0および5内のスロット0のシンボル5内にあり得る。SSCHは、物理レイヤセル識別情報グループ番号および無線フレームのタイミングを決定するためにUEによって使用される2次同期信号(SSS)を搬送する。物理レイヤ識別情報および物理レイヤセル識別情報グループ番号に基づいて、UEは物理セル識別子(PCI)を決定することができる。PCIに基づいて、UEは上述のDL-RSの位置を決定することができる。マスター情報ブロック(MIB)を搬送する物理ブロードキャストチャネル(PBCH)は、PSCHおよびSSCHと論理的にグループ化されて、同期信号(SS)ブロックを形成し得る。MIBは、DLシステム帯域幅の中のRBの数と、PHICH構成と、システムフレーム番号(SFN)とを提供する。物理ダウンリンク共有チャネル(PDSCH)は、ユーザデータと、システム情報ブロック(SIB)などのPBCHを通して送信されないブロードキャストシステム情報と、ページングメッセージとを搬送する。
【００３２】
図2Cに示されるように、REの一部は、基地局におけるチャネル推定のための復調基準信号(DM-RS)を搬送する。UEは追加で、サブフレームの最終シンボルにおいてサウンディング基準信号(SRS)を送信することがある。SRSはコム構造を有することがあり、UEは、コムのうちの1つの上でSRSを送信することがある。SRSは、UL上での周波数依存スケジューリングを可能にするために、チャネル品質推定のために基地局によって使用され得る。
【００３３】
図2Dは、フレームのULサブフレーム内の様々なチャネルの例を示す。物理ランダムアクセスチャネル(PRACH)は、PRACH構成に基づいてフレーム内の1つまたは複数のサブフレーム内にあり得る。PRACHは、サブフレーム内に6つの連続するRBペアを含むことがある。PRACHにより、UEが初期システムアクセスを実施し、UL同期を実現することが可能になる。物理アップリンク制御チャネル(PUCCH)は、ULシステム帯域幅の端に位置することがある。PUCCHは、スケジューリング要求、チャネル品質インジケータ(CQI)、プリコーディング行列インジケータ(PMI)、ランクインジケータ(RI)、およびHARQ ACK/NACKフィードバックなどのアップリンク制御情報(UCI)を搬送する。PUSCHは、データを搬送し、バッファステータス報告(BSR)、電力ヘッドルーム報告(PHR)、および/またはUCIを搬送するために追加で使用されることがある。
【００３４】
図3は、アクセスネットワークにおいてUE350と通信している基地局310のブロック図である。DLでは、EPC160からのIPパケットがコントローラ/プロセッサ375に提供されることがある。コントローラ/プロセッサ375は、レイヤ3およびレイヤ2の機能性を実装する。レイヤ3は無線リソース制御(RRC)レイヤを含み、レイヤ2は、パケットデータコンバージェンスプロトコル(PDCP)レイヤと、無線リンク制御(RLC)レイヤと、媒体アクセス制御(MAC)レイヤとを含む。コントローラ/プロセッサ375は、システム情報(たとえば、MIB、SIB)のブロードキャスティング、RRC接続制御(たとえば、RRC接続ページング、RRC接続確立、RRC接続修正、およびRRC接続解放)、無線アクセス技術(RAT)間モビリティ、ならびにUE測定報告のための測定構成に関連するRRCレイヤ機能性と、ヘッダ圧縮/解凍、セキュリティ(暗号化、解読、完全性保護、完全性検証)、およびハンドオーバーサポート機能に関連するPDCPレイヤ機能性と、上位レイヤパケットデータユニット(PDU)の転送、ARQを介した誤り訂正、RLCサービスデータユニット(SDU)の連結、セグメンテーション、およびリアセンブリ、RLCデータPDUの再セグメンテーション、ならびにRLCデータPDUの並べ替えに関連するRLCレイヤ機能性と、論理チャネルとトランスポートチャネルとの間のマッピング、トランスポートブロック(TB)上へのMAC SDUの多重化、TBからのMAC SDUの逆多重化、スケジューリング情報報告、HARQを介した誤り訂正、優先度処理、および論理チャネル優先順位付けに関連するMACレイヤ機能性とを提供する。
【００３５】
送信(TX)プロセッサ316および受信(RX)プロセッサ370は、様々な信号処理機能と関連付けられるレイヤ1機能性を実装する。物理(PHY)レイヤを含むレイヤ1は、トランスポートチャネル上の誤り検出と、トランスポートチャネルの前方誤り訂正(FEC)コーディング/復号と、インターリービングと、レートマッチングと、物理チャネル上へのマッピングと、物理チャネルの変調/復調と、MIMOアンテナ処理とを含むことがある。TXプロセッサ316は、様々な変調方式(たとえば、2位相シフトキーイング(BPSK)、4位相シフトキーイング(QPSK)、M位相シフトキーイング(M-PSK)、M直交振幅変調(M-QAM))に基づく信号コンスタレーションへのマッピングを扱う。コーディングされ変調されたシンボルは、次いで、並列ストリームに分割されることがある。各ストリームは、次いで、時間領域OFDMシンボルストリームを搬送する物理チャネルを生成するために、OFDMサブキャリアにマッピングされ、時間領域および/または周波数領域で基準信号(たとえば、パイロット)と多重化され、次いで、逆高速フーリエ変換(IFFT)を使用して一緒に合成されることがある。OFDMストリームは、複数の空間ストリームを生成するために空間的にプリコーディングされる。チャネル推定器374からのチャネル推定値は、コーディングおよび変調方式を決定するために、ならびに空間処理のために使用されることがある。チャネル推定値は、UE350によって送信される基準信号および/またはチャネル状態フィードバックから導出され得る。各空間ストリームは、次いで、別個の送信機318TXを介して異なるアンテナ320に提供されることがある。各送信機318TXは、送信のためにそれぞれの空間ストリームでRFキャリアを変調することができる。
【００３６】
UE350において、各受信機354RXは、そのそれぞれのアンテナ352を通して信号を受信する。各受信機354RXは、RFキャリア上に変調された情報を復元し、その情報を受信(RX)プロセッサ356に与える。TXプロセッサ368およびRXプロセッサ356は、様々な信号処理機能に関連付けられたレイヤ1機能性を実装する。RXプロセッサ356は、UE350に宛てられた任意の空間ストリームを復元するために、情報に対して空間処理を実施することができる。複数の空間ストリームは、UE350に宛てられている場合、RXプロセッサ356によって単一のOFDMシンボルストリームへと合成され得る。次いで、RXプロセッサ356は、高速フーリエ変換(FFT)を使用して、OFDMシンボルストリームを時間領域から周波数領域にコンバートする。周波数領域信号は、OFDM信号のサブキャリアごとに別々のOFDMシンボルストリームを含む。各サブキャリア上のシンボル、および基準信号は、基地局310によって送信された最も可能性の高い信号コンスタレーションポイントを決定することによって、復元および復調される。これらの軟判定は、チャネル推定器358によって算出されたチャネル推定値に基づく場合がある。次いで、軟判定は、復号およびデインターリーブされて、物理チャネル上で基地局310によって元々送信されていたデータおよび制御信号を復元する。データおよび制御信号は、次いで、レイヤ3およびレイヤ2の機能性を実装するコントローラ/プロセッサ359に提供される。
【００３７】
コントローラ/プロセッサ359は、プログラムコードおよびデータを記憶するメモリ360に関連付けることができる。メモリ360は、コンピュータ可読媒体と呼ばれる場合がある。ULでは、コントローラ/プロセッサ359は、EPC160からのIPパケットを復元するために、トランスポートチャネルと論理チャネルとの間の逆多重化と、パケットリアセンブリと、解読と、ヘッダ解凍と、制御信号処理とを行う。コントローラ/プロセッサ359はまた、ACKおよび/またはNACKプロトコルを使用してHARQ動作をサポートする誤り検出を担う。
【００３８】
基地局310によるDL送信に関して説明された機能性と同様に、コントローラ/プロセッサ359は、システム情報(たとえば、MIB、SIB)収集、RRC接続、および測定報告に関連するRRCレイヤ機能性と、ヘッダ圧縮/解凍およびセキュリティ(暗号化、解読、完全性保護、完全性検証)に関連するPDCPレイヤ機能性と、上位レイヤPDUの転送、ARQを介した誤り訂正、RLC SDUの連結、セグメンテーション、およびリアセンブリ、RLCデータPDUの再セグメンテーション、ならびにRLCデータPDUの並べ替えに関連するRLCレイヤ機能性と、論理チャネルとトランスポートチャネルとの間のマッピング、TB上へのMAC SDUの多重化、TBからのMAC SDUの逆多重化、スケジューリング情報報告、HARQを介した誤り訂正、優先度処理、および論理チャネル優先順位付けに関連するMACレイヤ機能性とを提供する。
【００３９】
基地局310によって送信された基準信号またはフィードバックからチャネル推定器358によって導出されたチャネル推定値は、適切なコーディングおよび変調方式を選択し、空間的処理を容易にするために、TXプロセッサ368によって使用され得る。TXプロセッサ368によって生成された空間ストリームは、別個の送信機354TXを介して異なるアンテナ352に提供される場合がある。各送信機354TXは、送信のためにそれぞれの空間ストリームでRFキャリアを変調し得る。
【００４０】
UL送信は、UE350における受信機機能に関して説明された方法と同様の方法で基地局310において処理される。各受信機318RXは、そのそれぞれのアンテナ320を通して信号を受信する。各受信機318RXは、RFキャリア上に変調された情報を復元し、その情報をRXプロセッサ370に提供する。
【００４１】
コントローラ/プロセッサ375は、プログラムコードおよびデータを記憶するメモリ376に関連付けることができる。メモリ376は、コンピュータ可読媒体と呼ばれる場合がある。ULでは、コントローラ/プロセッサ375は、UE350からのIPパケットを復元するために、トランスポートチャネルと論理チャネルとの間の逆多重化と、パケットリアセンブリと、解読と、ヘッダ解凍と、制御信号処理とを行う。コントローラ/プロセッサ375からのIPパケットは、EPC160に提供される場合がある。コントローラ/プロセッサ375はまた、ACKおよび/またはNACKプロトコルを使用してHARQ動作をサポートする誤り検出を担う。
【００４２】
図4Aは、アクセスネットワークにおけるMBSFNエリアの例を示す図410である。セル412'中のeNB412は、第1のMBSFNエリアを形成することができ、セル414'中のeNB414は、第2のMBSFNエリアを形成することができる。eNB412、414は各々、他のMBSFNエリア、たとえば、最高で合計8つのMBSFNエリアに関連付けられ得る。MBSFNエリア内のセルは、予約済みセルに指定され得る。予約済みセルは、マルチキャスト/ブロードキャストのコンテンツを提供しないが、セル412'、414'に時間同期され、MBSFNエリアへの干渉を制限するために、MBSFNリソース上で制限された電力を有し得る。MBSFNエリア中の各eNBは、同じeMBMSの制御情報およびデータを同期的に送信する。各エリアは、ブロードキャストサービス、マルチキャストサービス、およびユニキャストサービスをサポートし得る。ユニキャストサービスは、特定のユーザを対象とするサービス、たとえば、ボイス呼である。マルチキャストサービスは、ユーザのグループによって受信されることがあるサービス、たとえば、サブスクリプションビデオサービスである。ブロードキャストサービスは、すべてのユーザによって受信されることがあるサービス、たとえば、ニュース放送である。図4Aを参照すると、第1のMBSFNエリアは、特定のニュース放送をUE425に提供することなどによって、第1のeMBMSブロードキャストサービスをサポートし得る。第2のMBSFNエリアは、異なるニュース放送をUE420に提供することなどによって、第2のeMBMSブロードキャストサービスをサポートし得る。
【００４３】
図4Bは、MBSFNにおけるeMBMSチャネル構成の例を示す図430である。図4Bに示すように、各MBSFNエリアは、1つまたは複数の物理マルチキャストチャネル(PMCH)(たとえば、15個のPMCH)をサポートする。各PMCHは、MCHに対応する。各MCHは、複数(たとえば、29個)のマルチキャスト論理チャネルを多重化することができる。各MBSFNエリアは、1つのマルチキャスト制御チャネル(MCCH)を有し得る。したがって、1つのMCHは、1つのMCCHおよび複数のマルチキャストトラフィックチャネル(MTCH)を多重化することができ、残りのMCHは、複数のMTCHを多重化することができる。
【００４４】
UEは、eMBMSサービスアクセスおよび対応するアクセス層構成の利用可能性を発見するために、LTEセルにキャンプオンすることができる。最初に、UEはSIB13(SIB13)を収集する場合がある。その後、SIB13に基づいて、UEはMCCH上でMBSFNエリア構成メッセージを取得する場合がある。その後、MBSFNエリア構成メッセージに基づいて、UEはMSI MAC制御要素を取得する場合がある。SIB13は、(1)セルによってサポートされる各MBSFNエリアのMBSFNエリア識別子、(2)MCCH反復期間(たとえば、32、64、...、256フレーム)、MCCHオフセット(たとえば、0、1、...、10フレーム)、MCCH変更期間(たとえば、512、1024フレーム)、シグナリングの変調およびコーディング方式(MCS)、反復期間およびオフセットによって示されるような無線フレームのどのサブフレームがMCCHを送信できるのかを示すサブフレーム割振り情報などの、MCCHを取得するための情報、ならびに(3)MCCH変更通知構成を含む場合がある。各MBSFNエリアに対して、1つのMBSFNエリア構成メッセージがある。MBSFNエリア構成メッセージは、(1)一時モバイルグループ識別情報(TMGI)およびPMCH内の論理チャネル識別子によって識別される各MTCHの随意のセッション識別子、ならびに(2)MBSFNエリアの各PMCHを送信するための割り振られたリソース(すなわち、無線フレームおよびサブフレーム)およびエリア中のすべてのPMCHのための割り振られたリソースの割振り期間(たとえば、4、8、...、256個のフレーム)、ならびに(3)MSI MAC制御要素が送信されるMCHスケジューリング期間(MSP)(たとえば、8、16、32、...、または1024個の無線フレーム)を示す場合がある。特定のTMGIは、利用可能なMBMSサービスのうちの特定のサービスを識別する。
【００４５】
図4Cは、MSI MAC制御要素のフォーマットを示す図440である。MSI MAC制御要素は、MSPごとに一度送信され得る。MSI MAC制御要素は、PMCHの各スケジューリング期間の第1のサブフレームにおいて送信され得る。MSI MAC制御要素は、PMCH内の各MTCHの停止フレームおよびサブフレームを示すことができる。MBSFNエリア当たりPMCH当たりに、1つのMSIがあり得る。論理チャネル識別子(LCID)フィールド(たとえば、LCID1、LCID2、...、LCIDn)は、MTCHの論理チャネル識別子を示す場合がある。停止MTCHフィールド(たとえば、停止MTCH1、停止MTCH2、...、停止MTCHn)は、特定のLCIDに対応するMTCHを搬送する最後のサブフレームを示す場合がある。
【００４６】
最近では、FeMTCおよびNB-IOTタイプデバイス用に、マルチキャスト送信、たとえば、SC-PTM送信をサポートすることに対する関心が増している。マルチキャスト送信によりマルチキャストサービスを受信することに関心があるそのようなデバイスは、サブフレームのセットの中の(たとえば、マルチキャストチャネルを含む)NBの特定のセットを呼び起こす必要がある場合があり、ここで、マルチキャストサービスに対応するマルチキャストデータが送信される。マルチキャスト送信は、いくつかのマルチキャストチャネルを通して通信され得る。たとえば、MCCHが、利用可能マルチキャストサービスの情報と、利用可能マルチキャストサービスの各々のスケジューリング情報とを搬送し、各マルチキャストサービスの実際のトラフィックペイロードは、MTCHを介して通信され得る。マルチキャストサービスは、マルチメディアブロードキャスト、オーディオ/ビデオコンテンツファイル、ソフトウェア(SW)アップデートなどを含み得る。いくつかの構成では、MCCHおよびMTCHは、PDSCHまたはマシンタイプ通信PDCCH(MPDCCH)の一部であってよい。PDSCH/MPDCCHがサブフレームにわたって繰り返される場合、マルチキャスト制御およびトラフィック送信を搬送するマルチキャストチャネルは、サブフレームにわたって周波数ホッピングされ得る。
【００４７】
いくつかの構成では、マルチキャスト送信はSC-PTM送信を含む。周波数ダイバーシティを活用するために、SC-PTM送信、たとえば、SC-MCCHおよびSC-MTCHにおけるマルチキャスト送信は、いくつかの構成では、サブフレームのセットの中のNBのセットにわたってホッピングされ得る。つまり、SC-MCCHおよびSC-MTCHが周波数ホッピングされ得る。周波数ホッピングは、様々なやり方で構成され得る1つまたは複数のホッピングパターンを使うことによって実装することができる。ある態様によると、周波数ホッピングが実施されると、ネットワーク(たとえば、基地局)は、デバイス、たとえば、UEに、1つまたは複数のタイプのマルチキャストチャネルに対して周波数ホッピングが有効にされていることを知らせてよく、そうすることによって、UEは、判断されたホッピングパターンに基づいて、ホッピングされたマルチキャストチャネルにおいてマルチキャスト送信を受信するためのホッピングパターンを判断することができる。マルチキャストチャネル用のホッピングパターンは、ネットワークによって構成されたホッピングパラメータのセットに基づいてよい。ホッピングパラメータは、ホッピング有効化フラグ、ホッピングオフセット、ホッピングするべき狭帯域の数、およびホッピング持続時間を含み得る。いくつかの構成では、マルチキャストチャネルホッピングのためのホッピングパラメータは、ネットワークによって独自に構成されてよく、基地局は、RRCシグナリングを使って、ホッピングパラメータ構成情報をUEに通信することができる。いくつかの他の構成では、マルチキャストチャネルホッピングのためのホッピングパラメータは、SIB中で定義されるホッピングパラメータと同じであるか、またはそれらに基づき得る。そのようなケースでは、ホッピングパラメータを通信するための、基地局からの特定のRRCシグナリングがない場合があり、むしろ、UEは、SIB中で定義されるホッピングパラメータに基づいてセル固有ホッピングパターンを判断し、セル固有ホッピングパターンを使って、マルチキャストチャネルにおいてマルチキャスト送信を受信するように構成されてよい。そのようなケースでは、マルチキャストチャネルは、1つまたは複数のSIBおよび/または他のチャネル用のホッピングパターンとしても使われるセル固有ホッピングパターンに基づいてホッピングされ得る。
【００４８】
マルチキャストチャネルホッピングのためのホッピングパラメータは、ネットワークによって様々なやり方で構成され得る。たとえば、いくつかの構成では、ホッピングパラメータの同じセット(および、したがって、同じホッピングパターン)が、すべてのマルチキャスト制御チャネルおよびすべてのマルチキャストトラフィックチャネル用に使われてよい。したがって、いくつかの構成では、UEは、マルチキャスト制御チャネルにおけるマルチキャスト送信とマルチキャストトラフィックチャネルにおけるマルチキャスト送信の両方を受信するための、同じ、たとえば、1つの単一ホッピングパターンを判断し、使うことができる。
【００４９】
別の構成では、ホッピングパラメータのあるセットがすべてのマルチキャスト制御チャネル用に使われてよく、ホッピングパラメータの別のセット、たとえば、異なるセットが、マルチキャストトラフィックチャネルすべてに使われてよい。
【００５０】
いくつかの他の構成では、パラメータの1つのセットがすべてのマルチキャスト制御チャネル用に、たとえば、1つのホッピングパターンがすべてのマルチキャスト制御チャネル用に使われてよく、パラメータの異なるセットが、複数のマルチキャストトラフィックチャネルの中の各異なるマルチキャストトラフィックチャネル用に使われてよい。したがって、そのようなケースでは、第1のホッピングパターンがすべてのマルチキャスト制御チャネル用に使われてよく、異なるホッピングパターンが、各異なるマルチキャストトラフィックチャネル用に使われてよい。
【００５１】
さらに別の構成によると、各マルチキャスト制御チャネルは、その独自のホッピングパターンを有して構成されてよく、各マルチキャストトラフィックチャネル(サービスのセットに対応する)は、その独自のホッピングパターンを有して構成されてよい。そのような構成では、各マルチキャスト制御チャネルにおけるマルチキャスト送信は、マルチキャスト制御チャネル用の第1の複数のホッピングパターンのうちの1つに基づいてデバイスによって受信されてよく、各マルチキャストトラフィックチャネルにおけるマルチキャスト送信は、マルチキャストトラフィックチャネル用の第2の複数の異なるホッピングパターンのうちの1つに基づいて受信されてよい。
【００５２】
別の態様では、いくつかのホッピングパラメータは、既存のホッピングパラメータ(たとえば、セル固有ホッピングパターン用にSIB中で定義される)に基づいてよく、残りのパラメータは独自に構成されてよい。たとえば、ホッピング有効化フラグのみが、独自に構成され、UEにシグナリングされてよく、他のホッピングパラメータは、SIB中で受信された情報からUEによって導出されてよい。そのような構成では、基地局は、ホッピングが、マルチキャスト制御チャネルに対して、およびマルチキャストトラフィックチャネルに対して有効にされているかどうかを示すために、UEにシグナリングすればよい。ホッピングが有効にされているとき、UEは、SIB中で受信されたホッピングパラメータに基づいて、(マルチキャスト制御およびトラフィックチャネルにおいてマルチキャスト送信を受信するための)マルチキャスト制御チャネルおよびマルチキャストトラフィックチャネルのホッピングパターンを判断することができる。
【００５３】
ある態様では、様々なマルチキャストサービスについての制御情報を搬送し得るマルチキャスト制御チャネルは、マルチキャストサービス用のトラフィックペイロードを搬送することができる複数のマルチキャストトラフィックチャネルに関連付けられ得る。ホッピングが有効にされているかどうかは、一例では、単一ビットによって示され得る。いくつかの構成では、単一ビットインジケータが、ホッピングがマルチキャスト制御チャネルに対して有効にされているかどうかを示すのに使われ得る。単一ビットホッピングインジケータが、複数のマルチキャストトラフィックチャネルの各々に対して使われてよく、ここで、各単一ビットホッピングインジケータは、ホッピングが、複数のマルチキャストトラフィックチャネルの中の対応するマルチキャストトラフィックチャネルに対して有効にされているかどうかを示し得る。
【００５４】
図5は、例示的実施形態による、例示的通信システム500およびデバイスの間のシグナリングを示す。例示的通信システム500は、図1のシステムおよびアクセスネットワークの一部であってよい。通信システム500は、基地局(たとえば、eNB/gNB)502と、UE504、UE506、....、およびUE510を含む複数のUEとを含む。基地局502は基地局180に対応してよく、UE504、506、....、510は図1のUE104に対応してよい。一態様によると、システム500は、基地局502およびUE504、506、....、510からのマルチキャストサービス関連送信、たとえば、SC-MCCH送信および/またはSC-MTCH送信などをサポートすることができる。いくつかの態様では、システム500中に示されるデバイスは、NB-IOT通信およびeMTC/FeMTCをサポートし得る。したがって、いくつかの態様では、UE504、UE506、....、およびUE510のうちの少なくともいくつかは、eMTCおよび/またはNB-IOTタイプデバイスである。通信システム500において使うことができる例示的方法に関連した様々な態様について、以下で論じる。
【００５５】
周波数ダイバーシティを有利に活用するために、マルチキャストサービス関連送信が、周波数、たとえば、サブフレームのセットの中のNBにわたってホッピングされ得る。マルチキャストサービス送信は、たとえば、SC-MCCHによって搬送されるSC-MCCH送信およびSC-MTCHによって搬送されるSC-MTCH送信などのSC-PTM送信を含み得る。したがって、いくつかの構成では、マルチキャスト制御チャネル(たとえば、SC-MCCH)および/またはマルチキャストトラフィックチャネル(たとえば、SC-MTCH)が周波数ホッピングされ得る。ある態様によると、周波数ホッピングがマルチキャスト送信用に使われるとき、基地局502は、周波数ホッピングが1つまたは複数のタイプのマルチキャストチャネルに対して有効にされていることを、UE504、506、....、510のうちの1つまたは複数に知らせればよい。いくつかの構成では、基地局502は、周波数ホッピングがマルチキャスト制御およびトラフィックチャネルに対して使われるかどうかを、周波数ホッピングがアクティブそれとも非アクティブ(たとえば、ON/OFF)であるかを示すためのホッピングアクティブ化インジケータにより、UE504、506、....、510に知らせればよい。たとえば、ある態様では、基地局502は、周波数ホッピングが、マルチキャスト制御チャネルおよび/またはマルチキャストトラフィックチャネルのうちの少なくとも1つに対して有効にされているかどうかを示すための構成情報信号を、UE504、506、....、510のうちの1つまたは複数に送り得る。
【００５６】
いくつかの構成では、信号512は、周波数ホッピングがマルチキャスト制御チャネル(たとえば、MCCH/SC-MCCH550)に対して有効にされているかどうかを示す第1のホッピングインジケータおよび/または周波数ホッピングがマルチキャストトラフィックチャネル(たとえば、MTCH/SC-MTCH552〜560のうちの1つ)に対して有効にされているかどうかを示す第2のホッピングインジケータのうちの少なくとも1つを含み得る。マルチキャスト制御チャネル550は、様々なマルチキャストサービスについての制御情報(たとえば、利用可能マルチキャストサービスおよび各々のスケジューリング情報)を通信するマルチキャスト送信を搬送することができ、マルチキャストサービス用のトラフィックペイロードを通信するマルチキャスト送信を搬送することができる複数のマルチキャストトラフィックチャネル552、...、560に関連付けられ得る。いくつかの構成では、単一ビットインジケータが、ホッピングがマルチキャスト制御チャネルに対して有効にされているかどうかを示すのに使われてよく、複数の単一ビットホッピングインジケータが、複数のマルチキャストトラフィックチャネルに対してホッピングが有効にされているかどうかを示すのに使われてよく、ここで、各単一ビットホッピングインジケータは、複数のマルチキャストトラフィックチャネルの中の対応するマルチキャストトラフィックチャネルに対してホッピングが有効にされているかどうかを示す。MCCH550は、図4Bの描画430のMCCHと同じまたは同様であってよく、MTCH552、...、560は、図4Bの描画430のMTCHと同じまたは同様であってよい。
【００５７】
いくつかの構成では、マルチキャスト制御チャネル(たとえば、MCCH/SC-MCCH550)についての周波数ホッピングアクティブ化(ON/OFF)は、1ビットパラメータによって構成され得る。たとえば、いくつかの構成では、信号512中の単一ビットインジケータが、周波数ホッピングがマルチキャスト制御チャネル550用にアクティブ/非アクティブであることをUEに対して示すのに使われ得る。いくつかの構成では、マルチキャストトラフィックチャネル(たとえば、MTCH/SC-MTCH)についての周波数ホッピングアクティブ化(ON/OFF)は、MTCHごとに1ビットパラメータによって示され得る。たとえば、各マルチキャストトラフィックチャネル用に(たとえば、MTCH552、...、560の各々用に)、信号512中の1ビットインジケータが、対応するマルチキャストトラフィックチャネルに対してホッピングがアクティブ/非アクティブであるかを示すのに使われ得る。したがって、いくつかの構成では、X個の異なるマルチキャストトラフィックチャネル用に、X個の個々の1ビットインジケータが、対応するマルチキャストトラフィックチャネルに対してホッピングがアクティブ/非アクティブであるかを示すのに使われ得る。
【００５８】
いくつかの構成では、基地局502は、基地局502からのマルチキャストサービス送信用の少なくとも1つのホッピングパターンを判断/選択する(528)ことができる。たとえば、少なくとも1つのホッピングパターンは、マルチキャスト制御チャネルをホッピングするためのホッピングパターンと、マルチキャストトラフィックチャネルをホッピングするための同じまたは異なるホッピングパターンとを含み得る。いくつかの構成では、少なくとも1つのホッピングパターンは、基地局502によって構成された1つまたは複数のホッピングパラメータに基づいて判断され得る。いくつかの構成では、ホッピングパラメータは、ホッピング有効化フラグ/インジケータ(上で論じた)、ホッピングオフセット、ホッピングするべき狭帯域の数、またはホッピング持続時間を含む。ある態様によると、マルチキャスト制御チャネルおよび/または1つもしくは複数のマルチキャストトラフィックチャネルに対して周波数ホッピングが有効にされているとき、上述したようにUE504、506、....、510にホッピングインジケータを送るのに加え、基地局502は、いくつかの構成では、少なくとも1つのホッピングパターンのための構成されたホッピングパラメータを、構成情報信号512中に含めることができる。マルチキャストサービス送信を受信することに関心があるUE504および/または他のUEは、受信された情報を使って、少なくとも1つのホッピングパターンを判断することができる。様々な構成では、マルチキャスト送信520はマルチキャスト制御チャネル(たとえば、MCCH/SC-MCCH550)によって搬送されてよく、マルチキャスト送信522はマルチキャストトラフィックチャネル(たとえば、MCCH/SC-MCCH550のうちの1つ)によって搬送されてよく、マルチキャスト制御チャネルおよび/またはトラフィックチャネルは、少なくとも1つの周波数ホッピングパターンに基づいてホッピングされてよい。一構成では、マルチキャスト送信520はSC-PTM送信であってよい。たとえば、マルチキャスト送信520はSC-MCCH送信であってよく、マルチキャスト送信522はSC-MTCH送信であってよい。
【００５９】
UE504(およびシステム500の他のUE)は、構成情報信号512を受信し、ホッピングインジケータに基づいて、マルチキャスト制御チャネルまたはマルチキャストトラフィックチャネルのうちの1つもしくは複数のうちの少なくとも1つに対して周波数ホッピングが有効にされているかどうかを判断する(530)ことができる。UE504は次いで、(マルチキャスト制御および/またはトラフィックチャネル用の少なくとも1つのホッピングパターンを定義する)ホッピングパラメータが信号512中で通信されるかどうかを判断し得る。ホッピングパラメータが信号512により通信され得る何らかの構成では、UE504は、マルチキャスト制御および/またはトラフィックチャネルにおいてマルチキャスト送信を受信するための少なくとも1つのホッピングパターンを判断する(530)ことができる。したがって、いくつかの構成では、マルチキャスト制御および/またはトラフィックチャネル用のホッピングパラメータは、基地局502によって構成され、構成情報信号によりUE504、506、....、510に通信され得る。
【００６０】
以前論じたように、いくつかの構成では、マルチキャスト制御および/またはトラフィックチャネル用のホッピングパラメータは、基地局502によって構成され、たとえば、RRCシグナリングによりUEに通信されてよく、いくつかの他の構成では、マルチキャスト制御および/またはトラフィックチャネル用のホッピングパラメータは、別個には構成されない場合があり、むしろ、マルチキャスト送信520、522を受信するためのホッピングパラメータは、1つまたは複数の他のチャネルをホッピングするために使われるホッピングパラメータに基づいてよい。たとえば、1つのそのような構成では、マルチキャスト制御および/またはトラフィックチャネル用のホッピングパラメータは、SIB中で受信された情報から、UEによって導出され得る。そのような構成では、基地局502は、構成情報信号512中でホッピングパラメータを送らなくてよいが、マルチキャスト制御チャネル用に、およびマルチキャストトラフィックチャネル用にホッピングが有効にされているかどうかを示すためのホッピングインジケータを送る。信号512を受信するUE504(および他の506、....、510)が、マルチキャスト制御チャネルおよび/またはマルチキャストトラフィックチャネル用に周波数ホッピングが有効にされているがホッピングパラメータが含まれていないと判断すると、UE504は、(マルチキャスト制御およびトラフィックチャネルにおいてマルチキャスト送信を受信するための)マルチキャスト制御チャネルおよびマルチキャストトラフィックチャネルの少なくとも1つのホッピングパターンを、SIB中で受信されたホッピングパラメータに基づいて判断する(532)ことができる。たとえば、SIB(たとえば、SIB1)が、1つまたは複数のSIBを受信するためのセル固有ホッピングパターン用のホッピングパラメータを示すことができ、マルチキャスト制御および/またはトラフィックチャネルのための少なくとも1つのホッピングパターンが、セル固有ホッピングパターンに基づいて判断され得る。たとえば、1つの特定の例では、マルチキャスト制御チャネルおよびマルチキャストトラフィックチャネル用に使われるホッピングパターンは、SIBをホッピングするために使われ得るセル固有ホッピングパターンと同じでよい。
【００６１】
したがって、いくつかの態様では、マルチキャスト制御および/またはトラフィックチャネルを受信するためのホッピングパラメータは、SIB用に構成されたホッピングパラメータから導出され得る。ただし、これは、マルチキャストサービスを受信するための少なくとも1つのホッピングパターンが、基地局502によって構成され、RRCシグナリングにより、たとえば、信号512により通信されるホッピングパラメータに基づいて判断され得る他の態様では成り立たない場合がある。
【００６２】
上述したように、いくつかの態様では、ホッピングパラメータは、ホッピングオフセット、ホッピングするべき狭帯域の数、またはホッピング持続時間のいずれをも含み得る。1つまたは複数のホッピングパラメータ、たとえば、ホッピングオフセット、ホッピングするべき狭帯域の数、ホッピング持続時間などの各々は、サブフレーム(たとえば、LTE無線サブフレーム)に関して定義され得る。いくつかの態様では、少なくとも1つのホッピングパターンは、1つまたは複数のホッピングパターンを含み得る。
【００６３】
いくつかの構成では、ホッピングパラメータの同じセットが、すべてのマルチキャスト送信に、たとえば、マルチキャスト制御チャネルとマルチキャストトラフィックチャネルの両方におけるマルチキャスト送信に使われてよい。たとえば、マルチキャストサービス関連制御情報を各々が搬送する1つまたは複数のマルチキャスト制御チャネルと、異なる様々なマルチキャストサービスに対応するトラフィックペイロードを各々が搬送する複数のマルチキャストトラフィックチャネルとがあってよく、すべてのマルチキャスト制御チャネルおよびトラフィックチャネルは、ホッピングパラメータの同じセットを使って構成され、したがって、同じホッピングパターンに従い得る。そのような構成では、UE504は、マルチキャスト制御チャネルにおけるマルチキャスト送信(たとえば、マルチキャスト送信520)と、マルチキャストトラフィックチャネルにおけるマルチキャスト送信(たとえば、マルチキャスト送信522)の両方を受信するための、同じ、たとえば、1つの単一ホッピングパターンを判断し、使うことができる。
【００６４】
いくつかの構成では、すべてのマルチキャスト制御チャネル用のパラメータのあるセットが使われてよく、パラメータの別のセット、たとえば、異なるセットが、すべてのマルチキャストトラフィックチャネル用に使われてよい。たとえば、ホッピングパラメータの第1のセット(たとえば、第1のホッピングパターンを定義する)が、すべてのマルチキャスト制御チャネル用に構成されてよく、ホッピングパラメータの第2のセット(たとえば、第2のホッピングパターンを定義する)が、すべてのマルチキャストトラフィックチャネル用に構成されてよい。そのような構成では、UE504は、マルチキャスト制御チャネルにおいてマルチキャスト送信を受信するための第1のホッピングパターンと、マルチキャストトラフィックチャネルにおいてマルチキャスト送信を受信するための第2のホッピングパターンとを判断し、使うことができる。
【００６５】
いくつかの他の構成では、基地局502によって、すべてのマルチキャスト制御チャネル用のパラメータのあるセットが構成される場合があり、各マルチキャストトラフィックチャネル用のパラメータの異なるセットが構成される場合がある。したがって、たとえば、マルチキャスト制御チャネル(たとえば、MCCH550)は第1のホッピングパターンに従えばよく、マルチキャストトラフィックチャネル(たとえば、MTCH552、...、560)の各々は、異なるホッピングパターンに従えばよい。
【００６６】
さらに別の構成では、複数のマルチキャスト制御チャネルの各マルチキャスト制御チャネルは、その独自のホッピングパターンを有して構成されてよく、マルチキャストトラフィックチャネルの各々は、その独自のホッピングパターンを有して構成されてよい。そのような構成では、各マルチキャスト制御チャネルにおけるマルチキャスト送信は、マルチキャスト制御チャネル用の第1の複数のホッピングパターンのうちの1つに基づいてUE504によって受信されてよく、各マルチキャストトラフィックチャネルにおけるマルチキャスト送信は、マルチキャストトラフィックチャネル用の第2の複数の異なるホッピングパターンのうちの1つに基づいて受信されてよい。
【００６７】
図6は、例示的ホッピングパターン600と、ホッピングパターンを(たとえば、基地局502によって)構成し、かつ/または(たとえば、UE504によって)判断するのに使われ得る様々なホッピングパラメータとを示す図である。図示される例では、サブフレームにわたる周波数ホッピング(狭帯域のホッピング)は、図において陰影のある矩形によって表される狭帯域(NB)で示される。ある態様によると、狭帯域は、狭帯域デバイス、たとえば、FeMTCおよび/またはIOTタイプのデバイスへのブロードキャストおよび/またはマルチキャストサービス関連送信用に使われ得る。したがって、図に示されるNBは、マルチキャスト制御チャネルもしくはマルチキャストトラフィックチャネル(またはマルチキャスト制御もしくはトラフィックチャネルの一部分)に対応し得る。
【００６８】
上で論じたように、ホッピングパターンは、たとえば、ネットワークによって(たとえば、基地局502などのネットワークノードによって)構成され得る、構成されたホッピングパラメータの数に基づき得る。いくつかの構成では、ホッピングパラメータは、ホッピングオフセット、ホッピングするべき狭帯域の数、およびホッピング持続時間のうちのいずれをも含み得る。図6の示される例では、ホッピングパターン600を定義するホッピングパラメータの一例示的セットが示されている。図6において、例示的ホッピングオフセットは「p」で示され、例示的ホッピング持続時間は「q」で示され、ホッピングするべき狭帯域の例示的数は「r」で示されている。第1の送信NBは、「x」(たとえば、NB「x」を占有するマルチキャスト制御またはトラフィックチャネルの第1の出現)として示される。図6において、ホッピングするべき狭帯域の数(r)は=4である。したがって、マルチキャスト制御/トラフィックチャネルは、NBx(602)、x+p(604)、x+2*p(606)、およびx+3*p(608)中のサブフレームにわたってホッピングされ得る。「r」の選択された値に従って、ホッピングするべき狭帯域の数に達した後、パターンは、図に示すように繰り返し得る。マルチキャスト制御チャネルがNB中に構成されている場合、制御情報のマルチキャスト送信は、図示されるホッピングパターンに従って、(ホッピングされるNB中の)サブフレームにわたってホッピングされてよい。同様に、マルチキャストトラフィックチャネルがNBにおいて構成されている場合、(マルチキャストサービスの)トラフィックペイロードのマルチキャスト送信は、図示されるホッピングパターンに従って、(ホッピングされるNB中の)サブフレームにわたってホッピングされてよい。いくつかの構成では、UE504は、NBにおいてマルチキャスト送信を受信するためのホッピングパターン600を判断し、判断されたホッピングパターン600に基づいて、マルチキャスト送信を受信することができる。いくつかの構成では、ホッピングパターン600は、基地局502からの構成情報512に基づいて、UE504によって判断され得る。いくつかの他の構成では、ホッピングパターン600は、UE504によって受信されたSIB中のパラメータによって定義されるセル固有ホッピングパターンに基づき得る。
【００６９】
図7は、別の例示的ホッピングパターン700および様々なホッピングパラメータを示す図である。図7の例では、1つまたは複数のホッピングパラメータ(たとえば、ホッピングオフセット、ホッピングするべき狭帯域の数、ホッピング持続時間)に対応する値は、図6に示す対応するパラメータの値と比較して異なり、その結果、2つの図から諒解され得るように、ホッピングパターン700は、ホッピングパターン600とは異なることになる。
【００７０】
図7の示される例では、ホッピングするべき狭帯域の数(r)=2である。さらに、ホッピングパターン700に対応するホッピングオフセット「p」は、ホッピングパターン600に対応するホッピングオフセットの値と比較して異なり(たとえば、より大きい)、ホッピング持続時間「q」が、図6のホッピングパターン600用と同じになるように選ばれる。したがって、ホッピングパターン700を用いて、マルチキャスト制御/トラフィックチャネルが、NB x(702)およびx+p(704)中のサブフレームにわたってホッピングされ得る。「r」(r=2)の選択された値に従って、ホッピングするべき狭帯域の数に達した後、パターンは、図に示すように繰り返し得る。使うことができる2つの例示的ホッピングパターンおよび対応するパラメータは、図6〜図7に例として示されており、多くの変形形態が可能であることを諒解されたい。
【００７１】
図8は、本開示に提示する態様による、ワイヤレス通信の例示的方法のフローチャート800である。方法は、基地局(たとえば、180、310、502、950、装置1202、1202')とワイヤレス通信するUE(たとえば、UE104、350、504、506、510、1250、装置902/902')によって実施され得る。動作のうちのいくつかは、破線ボックスで表されるように、任意選択であってよい。802において、UEは、周波数ホッピングが、マルチキャスト制御チャネルまたはマルチキャストトラフィックチャネルのうちの少なくとも1つに対して有効にされているかどうかを示す信号を受信することができ、信号は、周波数ホッピングがマルチキャスト制御チャネルに対して有効にされているかどうかを示す第1のホッピングインジケータまたは周波数ホッピングがマルチキャストトラフィックチャネルに対して有効にされているかどうかを示す第2のホッピングインジケータのうちの少なくとも1つを含む。たとえば図5を参照すると、UE504は、マルチキャストサービス送信を搬送する1つまたは複数のマルチキャストチャネルに対して、周波数ホッピングが有効にされているかどうかを示す情報を含み得る構成情報信号512を、基地局502から受信し得る。いくつかの構成では、受信された信号は、周波数ホッピングがマルチキャスト制御チャネルに対して有効にされているかどうかを示すための第1のホッピングインジケータと、周波数ホッピングがマルチキャストトラフィックチャネルに対して有効にされているかどうかを示すための第2のホッピングインジケータとを含む。インジケータは、ホッピング有効化フラグとも呼ばれ得る。インジケータは、単一ビットインジケータであり得る。たとえば、マルチキャスト制御および/またはトラフィックチャネルに対応するインジケータ/フラグを値1にセットすることは、周波数ホッピングが有効にされていることを示すことができ、インジケータ/フラグを0にセットすることは、周波数ホッピングが有効にされていないことを示すことができる。
【００７２】
いくつかの構成では、受信された信号は、マルチキャスト制御チャネルに関連付けられ得る複数のマルチキャストトラフィックチャネルに対する周波数ホッピングアクティブ化の指示を含み得る。以前論じたように、マルチキャストトラフィックチャネルは、様々なマルチキャストサービス、たとえば、様々なマルチメディアコンテンツサービス、ソフトウェアアップデートおよび/または他のサービスに対応するトラフィックペイロードを搬送することができる。たとえば、いくつかの構成では、受信された信号は、複数のマルチキャストサービスに対応する複数のマルチキャストトラフィックチャネル(たとえば、MTCH552、...、560)の各々についての単一ビットホッピングインジケータを含むことができ、各単一ビットホッピングインジケータは、複数のマルチキャストトラフィックチャネルの中の対応するマルチキャストトラフィックチャネルに対して、周波数ホッピングが有効にされているかどうかを示す。いくつかの構成では、マルチキャスト制御チャネルのあるセットは、マルチキャストサービス関連制御情報を搬送するために構成される場合があり、マルチキャストトラフィックチャネルの別のセットは、様々なマルチキャストサービスに対応するトラフィックペイロードを搬送することができる。いくつかのそのような構成では、受信された信号は、1ビットホッピングインジケータの第1のセットおよび1ビットホッピングインジケータの第2のセットを含むことができ、第1のセットの中の各1ビットホッピングインジケータは、マルチキャスト制御チャネルのセットの対応するマルチキャスト制御チャネルに対して周波数ホッピングが有効にされているかどうかを示し、第2のセットの中の各1ビットホッピングインジケータは、マルチキャストトラフィックチャネルのセットの対応するマルチキャストトラフィックチャネルに対して、周波数ホッピングが有効にされているかどうかを示す。
【００７３】
804において、UEは、周波数ホッピングが、マルチキャスト制御チャネルまたはマルチキャストトラフィックチャネルのうちの少なくとも1つに対して有効にされているかどうかを判断し得る。判断は、受信された信号に含まれる情報に基づき得る。たとえば、信号512に基づいて、UE504は、マルチキャスト制御チャネル(たとえば、MCCH/SC-MCCH550)またはマルチキャストトラフィックチャネル(たとえば、MTCH/SC-MTCH552、...、560のうちの1つもしくは複数)に対して、周波数ホッピングアクティブ化の指示があるかどうかを判断することができる。たとえば、いくつかの構成では、マルチキャスト制御チャネルおよび/またはマルチキャストトラフィックに対応するインジケータ/フラグが1にセットされている場合、UEは、周波数ホッピングが有効にされていると判断してよい。いくつかの他の構成では、マルチキャスト制御/トラフィックチャネルについてのインジケータは、マルチキャスト制御/トラフィックチャネルに対するホッピングがアクティブ化されているときのみ信号に含まれ得る。804において、マルチキャスト制御チャネルまたはマルチキャストトラフィックチャネルのうちの少なくとも1つに対して、周波数ホッピングが有効にされていないと判断された場合、806において、UEは、マルチキャスト制御チャネルまたはマルチキャストトラフィックチャネルの通常スケジューリングに基づいて(たとえば、ホッピングなしで)、マルチキャスト制御チャネルまたはマルチキャストトラフィックチャネルのうちの少なくとも1つにおけるマルチキャストサービス関連送信の受信に進んでよい。
【００７４】
804において、マルチキャスト制御チャネルまたはマルチキャストトラフィックチャネルのうちの少なくとも1つに対して周波数ホッピングが有効にされていると判断された場合、808において、UEは、マルチキャスト制御チャネルまたはマルチキャストトラフィックチャネルのうちの少なくとも1つにおいてマルチキャスト送信を受信するための少なくとも1つのホッピングパターンを判断する。したがって、信号512が、マルチキャスト制御チャネルおよび/または1つもしくは複数のマルチキャストトラフィックチャネルに対して周波数ホッピングが有効にされていることを示すとき、UEは、マルチキャスト制御チャネルおよび/またはマルチキャストトラフィックチャネルにおけるマルチキャスト送信をホッピングするように基地局によって構成されたホッピングパターンの判断に進む。少なくとも1つのホッピングパターンは、マルチキャスト制御チャネルをホッピングするためのホッピングパターンと、マルチキャストトラフィックチャネルをホッピングするための同じまたは異なるホッピングパターンとを含み得る。
【００７５】
いくつかの構成では、少なくとも1つのホッピングパターンは、基地局502によって構成された1つまたは複数のホッピングパラメータ(たとえば、図6〜図7に関して上で論じたホッピングオフセット、ホッピングするべき狭帯域の数、またはホッピング持続時間)に基づいて判断され得る。いくつかの構成では、少なくとも1つのホッピングパターン用のホッピングパラメータは、構成情報信号512中に含まれ得る。1つまたは複数のマルチキャストトラフィックチャネルをホッピングするために使われるのとは異なるホッピングパターンに従ってマルチキャスト制御チャネルがホッピングされるいくつかの構成では、信号512は、マルチキャスト制御およびトラフィックチャネル用のホッピングパラメータの異なるセットを含み得る。いくつかの他の構成では、マルチキャスト制御および/またはトラフィックチャネル用のホッピングパラメータは、信号512により通信されるのではなく、上の図5に関して詳しく論じたように、SIB中で受信された情報から、UEによって判断される場合がある。少なくとも1つのホッピングパターンを判断するためのこれらの2つの手法について、ここで、代替法として使われ得るブロック810および812に関して論じる。
【００７６】
たとえば、いくつかの構成では、少なくとも1つのホッピングパターンを定義するホッピングパラメータは、マルチキャストチャネル用に別個に構成されるわけでなく、信号512により通信されるわけではない。そうではなく、基地局502は、SIBなど、他の情報の送信に使われるホッピングパターンを、マルチキャスト送信をホッピングするのに使ってよい。そのようなケースでは、ネットワークは、マルチキャストチャネルのためのホッピングパターン用のホッピングパラメータを別個に通信する必要がない場合がある。いくつかのそのような構成では、810において、UEは、UEによって受信されたSIB中に含まれるホッピングパラメータに基づいて、1つまたは複数のSIBを受信するためのセル固有ホッピングパターンを判断するように構成され得る。セル固有ホッピングパターンは、1つもしくは複数のSIB(たとえば、ホッピングパラメータを含むSIBに続いて送信される1つもしくは複数のSIB)および/または他のブロードキャストチャネルをホッピングするために、基地局502によって構成され得る。さらに、810において、UEは、判断されたセル固有ホッピングパターンを、マルチキャスト送信を受信するための少なくとも1つのホッピングパターンとして使うように構成され得る。ホッピングパラメータの1つまたは複数のセットがUEへRRCシグナリングにより(たとえば、信号512および/または追加信号により)通信されるいくつかの他の構成では、UEは、812において、受信された信号中で示されるホッピングパラメータに基づいて、少なくとも1つのホッピングパターンを判断することができる。
【００７７】
いくつかの構成では、少なくとも1つのホッピングパターンは、マルチキャスト制御チャネルとマルチキャストトラフィックチャネルの両方のために使われる単一ホッピングパターンを含む。たとえば、図5を参照すると、マルチキャスト制御チャネル(MCCH/SC-MCCH550)と、マルチキャストトラフィックチャネル(MTCH/SC-MTCH552〜560)のうちの少なくとも1つとが、同じホッピングパラメータを有して構成され(また、したがって、同じホッピングパターンを有し)得る。一構成では、マルチキャスト制御チャネル550と、マルチキャストトラフィックチャネル552〜560のすべてとが、同じホッピングパターンを有し得る。いくつかの他の構成では、少なくとも1つのホッピングパターンは、マルチキャスト制御チャネル用の第1のホッピングパターンおよびマルチキャストトラフィックチャネル用の第2のホッピングパターンを含む。たとえば、MCCH/SC-MCCH550は第1のホッピングパターンに従えばよく、MTCH/SC-MTCH552〜560のすべては、第2のホッピングパターンに従えばよい(マルチキャストトラフィックチャネル552〜560のすべてに対してホッピングが有効にされていると仮定する)。いくつかの他の構成では、少なくとも1つのホッピングパターンは、マルチキャスト制御チャネル用の第1のホッピングパターンおよびマルチキャストトラフィックチャネルのセット用のホッピングパターンの第2のセットを含み得る。たとえば、MCCH/SC-MCCH550は、第1のホッピングパターンに従えばよく、マルチキャストトラフィックチャネルのセット(たとえば、MTCH/SC-MTCH552〜560のうちの1つまたは複数を含む)の各マルチキャストトラフィックチャネルは、ホッピングパターンの第2のセットの、複数の異なるホッピングパターンのうちの1つに従えばよい。さらにいくつかの他の構成では、少なくとも1つのホッピングパターンは、マルチキャスト制御チャネルのセット用のホッピングパターンの第1のセットおよびマルチキャストトラフィックチャネルのセット用のホッピングパターンの第2のセットを含み得る。たとえば、いくつかの構成では、複数のマルチキャスト制御チャネルおよび複数のマルチキャストトラフィックチャネルが存在する場合があり、各マルチキャスト制御チャネルは、ホッピングパターンの第1のセットの、第1の複数の異なるホッピングパターンのうちの1つを有することができ、各マルチキャストトラフィックチャネルは、ホッピングパターンの第2のセットの、第2の複数の異なるホッピングパターンのうちの1つを有することができる。
【００７８】
所与の構成に依存して、UEは、信号512中で受信された情報(たとえば、少なくとも1つのホッピングパターン用のホッピングパラメータが明示的に指定され得る)またはSIB中で受信された情報(たとえば、セル固有ホッピングパターンのホッピングパラメータを含む)を、少なくとも1つのホッピングパターンを判断するのに使うことができる。
【００７９】
マルチキャスト送信を受信するための少なくとも1つのホッピングパターンを判断したので、UEは、マルチキャストサービス関連送信を搬送するマルチキャスト制御チャネルおよび/またはマルチキャストトラフィックチャネルがどのようにホッピングされているかがわかっている。したがって、814において、UEは、判断された少なくとも1つのホッピングパターンに基づいて、マルチキャスト制御チャネルまたはマルチキャストトラフィックチャネルのうちの少なくとも1つにおいてマルチキャスト送信を受信する。たとえば、1つのマルチキャスト制御チャネルおよび1つのマルチキャストトラフィックチャネルの簡単な例を検討するが、ここで、周波数ホッピングは両方に対して有効にされている。マルチキャスト制御チャネルとマルチキャストトラフィックチャネルの両方が、同じホッピングパラメータを有して構成されている(たとえば、判断された少なくとも1つのホッピングパターンが、マルチキャスト制御チャネルとマルチキャストトラフィックチャネルの両方についての単一ホッピングパターンを含む)場合、UEは、判断された同じホッピングパターンを使って、マルチキャスト制御チャネルおよびマルチキャストトラフィックチャネルにおいてマルチキャスト送信を受信する。判断された少なくとも1つのホッピングパターンが、マルチキャスト制御チャネル用の第1のホッピングパターンおよびマルチキャストトラフィックチャネル用の第2のホッピングパターンを含む場合、UEは、第1のホッピングパターンに基づいて、マルチキャスト制御チャネルにおいて、および第2のホッピングパターンに基づいて、マルチキャストトラフィックチャネルにおいて、マルチキャスト送信を受信する。
【００８０】
別の例では、マルチキャスト制御チャネルの第1のセットおよびマルチキャストトラフィックチャネルの第2のセットがあってよく、周波数ホッピングが、マルチキャスト制御およびトラフィックチャネルすべてに対して有効にされている。一構成では、第1のセット(1つまたは複数)の中のマルチキャスト制御チャネルは、同じホッピングパターン、たとえば、第1のホッピングパターンを有し、第2のセットの中の各マルチキャストトラフィックチャネルは、異なるホッピングパターンを有する。そのようなケースでは、判断された少なくとも1つのホッピングパターンは、マルチキャスト制御チャネルのセットのための第1のホッピングパターンと、マルチキャストトラフィックチャネルのセットのためのホッピングパターンの第2のセットとを含む。そのような構成では、マルチキャストトラフィックチャネルのセットの各マルチキャストトラフィックチャネルは、ホッピングパターンの第2のセットの複数の異なるホッピングパターンのうちの1つに基づいて受信される。さらに別の構成では、第1のセットの中の各マルチキャスト制御チャネルはその独自のホッピングパターンを有し、第2のセットの中の各マルチキャストトラフィックチャネルはその独自のホッピングパターンを有する。そのようなケースでは、判断された少なくとも1つのホッピングパターンは、マルチキャスト制御チャネルのセットのためのホッピングパターンの第1のセットと、マルチキャストトラフィックチャネルのセットのためのホッピングパターンの第2のセットとを含む。1つのそのような構成では、UEは、ホッピングパターンの第1のセットの第1の複数の異なるホッピングパターンのうちの1つに基づいて、マルチキャスト制御チャネルのセットの各マルチキャスト制御チャネルを受信し、ホッピングパターンの第2のセットの第2の複数の異なるホッピングパターンのうちの1つに基づいて、マルチキャストトラフィックチャネルのセットの各マルチキャストトラフィックチャネルを受信し得る。
【００８１】
図9は、例示的な装置902の中の様々な手段/コンポーネントの間のデータフローを示す概念データフロー図900である。装置は、UE(たとえば、UE104、350、504、1250、または別のUEなど)であってよい。考察目的のために、装置902は図5に示すUE504であり得ると見なすことができる。装置902は、受信コンポーネント904、ホッピングアクティブ化判断コンポーネント906、ホッピングパターン判断コンポーネント908、制御コンポーネント910、および送信コンポーネント912を含み得る。
【００８２】
受信コンポーネント904は、基地局950など、他のデバイスからのメッセージおよび/または他の情報を受信し、処理するように構成され得る。たとえば、図5を参照すると、装置902はUE504であってよく、受信コンポーネント904は、構成信号512、SIB、マルチキャスト送信520/522、および/または他の信号/メッセージを基地局502から受信するように構成されてよい。いくつかの構成では、受信コンポーネント904は、周波数ホッピングが、マルチキャスト制御チャネルまたはマルチキャストトラフィックチャネルのうちの少なくとも1つに対して有効にされているかどうかを示す信号を受信することができ、信号は、周波数ホッピングがマルチキャスト制御チャネルに対して有効にされているかどうかを示す第1のホッピングインジケータまたは周波数ホッピングがマルチキャストトラフィックチャネルに対して有効にされているかどうかを示す第2のホッピングインジケータのうちの少なくとも1つを含む。たとえば、図5を参照すると、装置902はUE504であってよく、受信コンポーネント904は、マルチキャスト制御チャネルまたはマルチキャストトラフィックチャネルのうちの少なくとも1つに対して周波数ホッピングが有効にされているかどうかを示す構成信号512を受信し得る。いくつかの構成では、受信された信号は、周波数ホッピングがマルチキャスト制御チャネルに対して有効にされているかどうかを示すための第1のホッピングインジケータと、周波数ホッピングがマルチキャストトラフィックチャネルに対して有効にされているかどうかを示すための第2のホッピングインジケータとを含む。いくつかの構成では、受信された信号は、複数のマルチキャストサービスに対応する複数のマルチキャストトラフィックチャネルの各々についての単一ビットホッピングインジケータを含み、各単一ビットホッピングインジケータは、複数のマルチキャストトラフィックチャネルの中の対応するマルチキャストトラフィックチャネルに対して、周波数ホッピングが有効にされているかどうかを示す。受信コンポーネント904によって受信された信号/情報は、フローチャート800のブロックに関して論じた動作を実施する際の可能な使用のために、処理され、装置902の1つまたは複数の他のコンポーネントに提供され得る。
【００８３】
ホッピングアクティブ化判断コンポーネント906は、受信された信号に基づいて、周波数ホッピングが、マルチキャスト制御チャネルまたはマルチキャストトラフィックチャネルのうちの少なくとも1つに対して有効にされているかどうかを判断するように構成され得る。たとえば、図5を参照すると、アクティブ化判断コンポーネント906は、受信された構成信号512(たとえば、受信コンポーネント904を介して受信された)を処理して、第1および/または第2のインジケータを検査し、周波数ホッピングが、マルチキャスト制御チャネルまたはマルチキャストトラフィックチャネルのうちの少なくとも1つに対して有効にされているかどうかを判断することができる。ホッピングアクティブ化判断コンポーネント906は、判断された結果を、ホッピングアクティブ化情報(たとえば、どの1つまたは複数のマルチキャストチャネルに対して、周波数ホッピングがアクティブ化されているかを示す)として、ホッピングパターン判断コンポーネント908および/または装置902の他のコンポーネントに提供するようにさらに構成され得る。
【００８４】
ホッピングパターン判断コンポーネント908は、周波数ホッピングがマルチキャスト制御チャネルまたはマルチキャストトラフィックチャネルのうちの少なくとも1つに対して有効にされているとき、マルチキャスト制御チャネルまたはマルチキャストトラフィックチャネルのうちの少なくとも1つにおいてマルチキャスト送信を受信するための少なくとも1つのホッピングパターンを判断するように構成され得る。以前詳しく論じたように、いくつかの構成では、少なくとも1つのホッピングパターンは、基地局502によって構成されるとともに受信された構成情報信号512中に含まれる1つまたは複数のホッピングパラメータ(たとえば、ホッピングオフセット、ホッピングするべき狭帯域の数、またはホッピング持続時間)に基づいて判断され得る。このように、いくつかの構成では、ホッピングパターン判断コンポーネント908は、受信された構成信号、たとえば、図5の信号512中で示されるホッピングパラメータに基づいて、少なくとも1つのホッピングパターンを判断するように構成され得る。いくつかの他の構成では、マルチキャスト制御および/またはトラフィックチャネル用のホッピングパラメータは、SIB中で受信された情報に基づいて、たとえば、セル固有ホッピングパターンに基づいて判断され得る。いくつかのそのような構成では、ホッピングパターン判断コンポーネント908は、装置902によって受信されたSIB中に含まれるホッピングパラメータに基づいて、1つまたは複数のSIBを受信するためのセル固有ホッピングパターンを判断するように構成され得る。いくつかのそのような構成では、ホッピングパターン判断コンポーネント908は、判断されたセル固有ホッピングパターンを、マルチキャスト制御またはマルチキャストトラフィックチャネルのうちの少なくとも1つにおいてマルチキャスト送信を受信するための少なくとも1つのホッピングパターンとして設定するようにさらに構成され得る。様々な構成では、判断された少なくとも1つのホッピングパターン(たとえば、1つまたは複数のホッピングパターンを含み得る)に関する情報が、判断されたホッピングパターンに従って、基地局950からのマルチキャストサービス関連送信の受信を可能にするために、受信コンポーネント904に直接、および/または制御コンポーネント910に提供され得る。様々な構成では、判断された少なくとも1つのホッピングパターンは次いで、マルチキャスト制御および/またはトラフィックチャネルにおいてマルチキャスト送信を受信するのに使われ得る。
【００８５】
いくつかの構成では、受信コンポーネント904は単独で、制御コンポーネント910との組合せで、および/またはその制御下で、判断された少なくとも1つのホッピングパターンに基づいて、マルチキャスト制御チャネルまたはマルチキャストトラフィックチャネルのうちの少なくとも1つにおいてマルチキャスト送信を受信するように構成され得る。たとえば、いくつかの構成では、制御コンポーネント910は、たとえば、判断されたホッピングパターンに基づいて、異なる時間期間中に異なるホッピングされた周波数帯に調整するように受信コンポーネント904のチューナを制御することによって、少なくとも1つの判断されたホッピングパターンに従ってマルチキャスト制御チャネルまたはマルチキャストトラフィックチャネルのうちの少なくとも1つにおいてマルチキャスト送信を受信するように、受信コンポーネント904を制御するように構成され得る。いくつかの構成では、制御コンポーネント910は、受信コンポーネント904内に実装され得る。マルチキャスト制御チャネルとマルチキャストトラフィックチャネルの両方が同じホッピングパラメータを有して構成される場合、受信コンポーネント904は、判断された同じホッピングパターンを使って、マルチキャスト制御チャネルおよびマルチキャストトラフィックチャネルにおいてマルチキャスト送信を受信するように構成され得る。判断された少なくとも1つのホッピングパターンが、マルチキャスト制御およびトラフィックチャネル用に異なるホッピングパターンを含む場合、受信コンポーネント904は、それらの対応するホッピングパターンに基づいて、マルチキャスト制御およびトラフィックチャネルにおいてマルチキャスト送信を受信するように構成されてよい。
【００８６】
送信コンポーネント912は、1つまたは複数の外部デバイスにメッセージを送信するように構成され得る。たとえば、送信コンポーネント912は、ユーザデータ信号、ビーコン、ACK/NACKおよび/または他の信号を基地局950に送信するように構成されてよい。いくつかの構成では、制御コンポーネント910は、送信コンポーネント912によって送信される1つまたは複数の信号の、送信スケジュールおよび/または送信タイミングを制御するように構成され得る。
【００８７】
本装置は、図8の上述のフローチャート中のアルゴリズムのブロックの各々を実施する追加コンポーネントを含み得る。したがって、図8の上述のフローチャートの中の各ブロックは、1つのコンポーネントによって実施されることがあり、装置は、それらのコンポーネントのうちの1つまたは複数を含むことがある。コンポーネントは、述べられたプロセス/アルゴリズムを遂行するように具体的に構成された1つまたは複数のハードウェアコンポーネントであるか、述べられたプロセス/アルゴリズムを実行するように構成されたプロセッサによって実装されるか、プロセッサによる実装のためにコンピュータ可読媒体内に記憶されるか、またはそれらの何らかの組合せであってよい。
【００８８】
図10は、処理システム1014を利用する装置902'のハードウェア実装形態の例を示す図1000である。処理システム1014は、バス1024によって全体的に表されるバスアーキテクチャで実装される場合がある。バス1024は、処理システム1014の特定の適用例および全体的な設計制約に応じて、任意の数の相互接続するバスおよびブリッジを含み得る。バス1024は、プロセッサ1004によって表される1つまたは複数のプロセッサおよび/またはハードウェアコンポーネントと、コンポーネント904、906、908、910、912と、コンピュータ可読媒体/メモリ1006とを含む様々な回路を互いにリンクする。バス1024はまた、タイミングソース、周辺装置、電圧調整器、および電力管理回路などの様々な他の回路をリンクする場合があるが、これらの回路は当技術分野においてよく知られており、したがって、これ以上説明しない。
【００８９】
処理システム1014は、トランシーバ1010に結合され得る。トランシーバ1010は1つまたは複数のアンテナ1020に結合される。トランシーバ1010は、送信媒体上の様々な他の装置と通信するための手段を提供する。トランシーバ1010は、1つまたは複数のアンテナ1020から信号を受信し、受信された信号から情報を抽出し、抽出された情報を処理システム1014、特に受信コンポーネント904に提供する。さらに、トランシーバ1010は、処理システム1014、特に送信コンポーネント912から情報を受信し、受信された情報に基づいて、1つまたは複数のアンテナ1020に印加されるべき信号を生成する。処理システム1014は、コンピュータ可読媒体/メモリ1006に結合されたプロセッサ1004を含む。プロセッサ1004は、コンピュータ可読媒体/メモリ1006に記憶されたソフトウェアの実行を含む、一般的な処理を担当する。ソフトウェアは、プロセッサ1004によって実行されると、任意の特定の装置の上記で説明した様々な機能を処理システム1014に実施させる。コンピュータ可読媒体/メモリ1006は、ソフトウェアを実行するときにプロセッサ1004によって操作されるデータを記憶するためにも使用される場合がある。処理システム1014は、コンポーネント904、906、908、910、912のうちの少なくとも1つをさらに含む。それらのコンポーネントは、プロセッサ1004内で動作し、コンピュータ可読媒体/メモリ1006に存在する/記憶されたソフトウェアコンポーネント、プロセッサ1004に結合された1つもしくは複数のハードウェアコンポーネント、またはそれらの何らかの組合せであってよい。処理システム1014は、UE350のコンポーネントであってよく、メモリ360、ならびに/または、TXプロセッサ368、RXプロセッサ356、およびコントローラ/プロセッサ359のうちの少なくとも1つを含んでよい。
【００９０】
一構成では、ワイヤレス通信のための装置902/902'は、周波数ホッピングが、マルチキャスト制御チャネルまたはマルチキャストトラフィックチャネルのうちの少なくとも1つに対して有効にされているかどうかを示す信号を受信するための手段を含み、信号は、周波数ホッピングがマルチキャスト制御チャネルに対して有効にされているかどうかを示す第1のホッピングインジケータまたは周波数ホッピングがマルチキャストトラフィックチャネルに対して有効にされているかどうかを示す第2のホッピングインジケータのうちの少なくとも1つを含む。いくつかの構成では、装置902/902'は、受信された信号に基づいて、周波数ホッピングが、マルチキャスト制御チャネルまたはマルチキャストトラフィックチャネルのうちの少なくとも1つに対して有効にされているかどうかを判断するための手段をさらに含み得る。
【００９１】
いくつかの構成では、装置902/902'は、周波数ホッピングがマルチキャスト制御チャネルまたはマルチキャストトラフィックチャネルのうちの少なくとも1つに対して有効にされているとき、マルチキャスト制御チャネルまたはマルチキャストトラフィックチャネルのうちの少なくとも1つにおいてマルチキャスト送信を受信するための少なくとも1つのホッピングパターンを判断するための手段をさらに含み得る。いくつかの構成では、受信するための手段は、判断された少なくとも1つのホッピングパターンに基づいて、マルチキャスト制御チャネルまたはマルチキャストトラフィックチャネルのうちの少なくとも1つにおいてマルチキャスト送信を受信するようにさらに構成される。いくつかの構成では、装置902/902'は、受信されたSIB中のホッピングパラメータに基づいて、1つまたは複数のSIBを受信するためのセル固有ホッピングパターンを判断するための手段をさらに含み得る。何らかのそのような構成では、マルチキャスト制御チャネルまたはマルチキャストトラフィックチャネルのうちの少なくとも1つにおいてマルチキャスト送信を受信するための少なくとも1つのホッピングパターンは、判断されたセル固有ホッピングパターンに基づいて判断され得る。いくつかの他の構成では、マルチキャスト制御チャネルまたはマルチキャストトラフィックチャネルのうちの少なくとも1つにおいてマルチキャスト送信を受信するための少なくとも1つのホッピングパターンは、ネットワークからの構成信号、たとえば、基地局からの信号512により装置902/902'に通信されるホッピングパラメータに基づいて判断され得る。いくつかのそのような構成では、少なくとも1つのホッピングパターンを判断するための手段は、ホッピングオフセット、ホッピングするべき狭帯域の数、またはホッピング持続時間のうちの少なくとも1つを含む、受信された信号中で示されるホッピングパラメータに基づいて、少なくとも1つのホッピングパターンの各ホッピングパターンを判断するように構成され得る。
【００９２】
一構成では、少なくとも1つのホッピングパターンは、マルチキャスト制御チャネルとマルチキャストトラフィックチャネルの両方のために使われる単一ホッピングパターンを含む。そのような構成では、受信するための手段は、同じ単一ホッピングパターンに基づいて、マルチキャスト制御およびトラフィックチャネルのマルチキャスト送信を受信するように構成され得る。いくつかの構成では、少なくとも1つのホッピングパターンは、マルチキャスト制御チャネル用の第1のホッピングパターンおよびマルチキャストトラフィックチャネルのセット用のホッピングパターンの第2のセットを含む。いくつかのそのような構成では、受信するための手段は、ホッピングパターンの第2のセットの複数の異なるホッピングパターンのうちの1つに基づいて、マルチキャストトラフィックチャネルのセットの各マルチキャストトラフィックチャネルに対応するマルチキャスト送信を受信するように構成され得る。一構成では、少なくとも1つのホッピングパターンは、マルチキャスト制御チャネルのセット用のホッピングパターンの第1のセットおよびマルチキャストトラフィックチャネルのセット用のホッピングパターンの第2のセットを含む。そのような構成では、受信するための手段は、ホッピングパターンの第1のセットの第1の複数の異なるホッピングパターンのうちの1つに基づいて、マルチキャスト制御チャネルのセットの各マルチキャスト制御チャネルに対応するマルチキャスト送信を受信し、ホッピングパターンの第2のセットの第2の複数の異なるホッピングパターンのうちの1つに基づいて、マルチキャストトラフィックチャネルのセットの各マルチキャストトラフィックチャネルに対応するマルチキャスト送信を受信するように構成され得る。
【００９３】
上述の手段は、上述の手段によって列挙された機能を実施するように構成された装置902および/または装置902'の処理システム1014の上述のコンポーネントのうちの1つまたは複数であってよい。上記で説明されたように、処理システム1014は、TXプロセッサ368、RXプロセッサ356、およびコントローラ/プロセッサ359を含む場合がある。したがって、一構成では、上述の手段は、上述の手段によって列挙された機能を実施するように構成されたTXプロセッサ368、RXプロセッサ356、およびコントローラ/プロセッサ359であってよい。
【００９４】
図11は、本開示に提示する態様による、ワイヤレス通信の例示的方法のフローチャート1100である。この方法は、基地局(たとえば、基地局180、310、502、950、装置1202、1202')によって実施されてよい。動作のうちのいくつかは、破線ボックスで表されるように、任意選択であってよい。1102において、基地局は、周波数ホッピングが、マルチキャスト制御チャネルまたはマルチキャストトラフィックチャネルのうちの少なくとも1つに対して有効にされているかどうかを示す信号を送信することができ、信号は、周波数ホッピングがマルチキャスト制御チャネルに対して有効にされているかどうかを示す第1のホッピングインジケータまたは周波数ホッピングがマルチキャストトラフィックチャネルに対して有効にされているかどうかを示す第2のホッピングインジケータのうちの少なくとも1つを含む。たとえば図5を参照すると、基地局502は、マルチキャストサービス送信を搬送する1つまたは複数のマルチキャストチャネルに対して、周波数ホッピングが有効にされているかどうかを示す情報を含み得る構成情報信号512を送信し得る。いくつかの構成では、送信される信号は、周波数ホッピングがマルチキャスト制御チャネルに対して有効にされているかどうかを示すための第1のホッピングインジケータと、周波数ホッピングがマルチキャストトラフィックチャネルに対して有効にされているかどうかを示すための第2のホッピングインジケータとを含む。
【００９５】
いくつかの構成では、送信される信号は、マルチキャスト制御チャネルに関連付けられ得る複数のマルチキャストトラフィックチャネルに対する周波数ホッピングアクティブ化の指示を含み得る。たとえば、いくつかの構成では、送信される信号は、複数のマルチキャストトラフィックチャネル(たとえば、MTCH552、...、560)の各々についての単一ビットホッピングインジケータを含むことができ、各単一ビットホッピングインジケータは、複数のマルチキャストトラフィックチャネルの中の対応するマルチキャストトラフィックチャネルに対して、周波数ホッピングが有効にされているかどうかを示す。いくつかの構成では、マルチキャスト制御チャネルのあるセットは、マルチキャストサービス関連制御情報を搬送するために構成される場合があり、マルチキャストトラフィックチャネルの別のセットは、様々なマルチキャストサービスに対応するトラフィックペイロードを搬送することができる。いくつかのそのような構成では、送信される信号は、1ビットホッピングインジケータの第1のセットおよび1ビットホッピングインジケータの第2のセットを含むことができ、第1のセットの中の各1ビットホッピングインジケータは、マルチキャスト制御チャネルのセットの対応するマルチキャスト制御チャネルに対して周波数ホッピングが有効にされているかどうかを示し、第2のセットの中の各1ビットホッピングインジケータは、マルチキャストトラフィックチャネルのセットの対応するマルチキャストトラフィックチャネルに対して周波数ホッピングが有効にされているかどうかを示す。
【００９６】
1104において、基地局は、周波数ホッピングが、マルチキャスト制御チャネルまたはマルチキャストトラフィックチャネルのうちの少なくとも1つに対して有効にされているとき、マルチキャスト制御チャネルまたはマルチキャストトラフィックチャネルのうちの少なくとも1つのための少なくとも1つのホッピングパターンを(すなわち、マルチキャスト制御および/またはトラフィックチャネルにおけるマルチキャスト送信用に)構成することができる。基地局502は、たとえば、周波数ダイバーシティを活用するために、マルチキャスト制御チャネルまたはマルチキャストトラフィックチャネルのうちの少なくとも1つにおけるマルチキャスト送信のために周波数ホッピングが展開されるべきであるという、基地局502における決定に従って、少なくとも1つのホッピングパターン(所与の実施形態に依存する1つまたは複数のホッピングパターンを含み得る)を構成すればよい。いくつかの構成では、基地局は、SIBなど、他の情報の送信に使われるホッピングパターンを、マルチキャスト送信をホッピングするのに使ってよい。いくつかのそのような構成では、基地局は、1つまたは複数のSIBをホッピングするために使われるセル固有ホッピングパターンに対応するホッピングパラメータを、マルチキャスト制御および/またはトラフィックチャネル用の少なくとも1つのホッピングパターンを構成するのに使うことができる。したがって、いくつかの構成では、1106において、基地局は、1104における動作の一部として、セル固有ホッピングパターンに基づいて、マルチキャスト制御チャネルまたはマルチキャストトラフィックチャネルのうちの少なくとも1つのために少なくとも1つのホッピングパターンを構成することができる。いくつかの他の構成では、基地局は、マルチキャスト制御およびトラフィックチャネルにおけるマルチキャスト送信をホッピングするために独自に、および/または特に構成されたホッピングパラメータの1つまたは複数のセットに基づいて、マルチキャスト制御チャネルまたはマルチキャストトラフィックチャネルのうちの少なくとも1つのために少なくとも1つのホッピングパターンを構成することができる。いくつかのそのような構成では、1108において、基地局は、1104における動作の一部として、マルチキャスト制御チャネルまたはマルチキャストトラフィックチャネルのうちの少なくとも1つにおけるマルチキャスト送信をホッピングするために選択/構成されたホッピングパラメータに基づいて、少なくとも1つのホッピングパターンを構成することができる。したがって、ブロック1104、1106および1108を参照して論じたように、少なくとも1つのホッピングパターンは、ネットワークによって異なるやり方で、たとえば、SIBをホッピングするために使われる既存のホッピングパターン(たとえば、セル固有ホッピングパターン)に基づいて、またはマルチキャスト送信をホッピングするために独自に構成されたホッピングパラメータに基づいて、または2つの手法の組合せに基づいて構成され得る。
【００９７】
1110において、基地局は、SIB中で、1つまたは複数のSIB用のセル固有ホッピングパターンに関する情報を送信し得る。セル固有ホッピングパターンは、1つまたは複数のSIBおよび/または他のブロードキャストチャネルをホッピングするために、基地局によって構成され得る。1つまたは複数のSIB用のセル固有ホッピングパターンに関する情報は、たとえば、セル固有ホッピングパターンを定義する、ホッピングオフセット、ホッピングするべき狭帯域の数、またはホッピング持続時間などのホッピングパラメータであってよい。上述したように、いくつかの構成では、マルチキャスト制御チャネルまたはマルチキャストトラフィックチャネルのうちの少なくとも1つにおいてマルチキャスト送信を送信するための少なくとも1つのホッピングパターンは、セル固有ホッピングパターンに基づいてよい。いくつかのそのような構成では、基地局は、マルチキャストサービス関連送信に関心のあるUEに、セル固有ホッピングパターンを、マルチキャスト制御および/またはトラフィックチャネルにおいてマルチキャスト送信を受信するための少なくとも1つのホッピングパターンとして使うための指示を与えることができる。いくつかの構成では、UEは、少なくとも1つのホッピングパターン用のホッピングパラメータが、たとえば、基地局から構成信号512により別個に通信されるわけではないとき、少なくとも1つのホッピングパターンとして、セル特定のホップパターンを判断し、使うように事前構成され得る。
【００９８】
いくつかの構成では、少なくとも1つのホッピングパターンは、マルチキャスト制御チャネルとマルチキャストトラフィックチャネルの両方のために使われる単一ホッピングパターンを含む。たとえば、図5を参照すると、マルチキャスト制御チャネル(MCCH/SC-MCCH550)と、マルチキャストトラフィックチャネル(MTCH/SC-MTCH552〜560)のうちの少なくとも1つとが、同じホッピングパラメータを有して構成され(また、したがって、同じホッピングパターンを有し)得る。いくつかの他の構成では、少なくとも1つのホッピングパターンは、マルチキャスト制御チャネル用の第1のホッピングパターンおよびマルチキャストトラフィックチャネル用の第2のホッピングパターンを含む。いくつかの他の構成では、少なくとも1つのホッピングパターンは、マルチキャスト制御チャネル用の第1のホッピングパターンおよびマルチキャストトラフィックチャネルのセット用のホッピングパターンの第2のセットを含み得る。さらにいくつかの他の構成では、少なくとも1つのホッピングパターンは、マルチキャスト制御チャネルのセット用のホッピングパターンの第1のセットおよびマルチキャストトラフィックチャネルのセット用のホッピングパターンの第2のセットを含み得る。
【００９９】
1112において、基地局は、周波数ホッピングがマルチキャスト制御チャネルまたはマルチキャストトラフィックチャネルのうちの少なくとも1つに対して有効にされているとき、少なくとも1つのホッピングパターンに基づいて、マルチキャスト制御チャネルまたはマルチキャストトラフィックチャネルのうちの少なくとも1つにおいてマルチキャスト送信を送信し得る。図5を参照して、周波数ホッピングがすべてに対して有効にされている、1つのマルチキャスト制御チャネルおよび複数のマルチキャストトラフィックチャネルの例を検討する。基地局は、たとえば、構成信号512中の個々の単一ビットインジケータにより、周波数ホッピングが有効にされていることをUEに示すことができる。マルチキャスト制御チャネルおよびマルチキャストトラフィックチャネルが、同じホッピングパラメータを有して構成されている(たとえば、判断された少なくとも1つのホッピングパターンが、マルチキャスト制御チャネルとマルチキャストトラフィックチャネルの両方のための単一ホッピングパターンを含む)場合、基地局は、同じホッピングパターンを使って、マルチキャスト制御チャネルおよびマルチキャストトラフィックチャネルにおいてマルチキャスト送信を送信してよい。判断された少なくとも1つのホッピングパターンが、マルチキャスト制御チャネル用の第1のホッピングパターンと、マルチキャストトラフィックチャネルすべてのための第2のホッピングパターンとを含む場合、基地局は、第1のホッピングパターンに基づいてマルチキャスト制御チャネルにおいてマルチキャスト送信を、および第2のホッピングパターン(たとえば、すべてのマルチキャストトラフィックチャネル用の同じホッピングパターン)に従ってマルチキャストトラフィックチャネルにおいてマルチキャスト送信を送ることができる。
【０１００】
いくつかの構成では、マルチキャスト制御チャネルの第1のセットおよびマルチキャストトラフィックチャネルの第2のセットがあってよく、周波数ホッピングが、マルチキャスト制御およびトラフィックチャネルすべてに対して有効にされている。1つのそのような構成では、第1のセット(1つまたは複数)の中のマルチキャスト制御チャネルは、同じホッピングパターン、たとえば、第1のホッピングパターンを有し、第2のセットの中の各マルチキャストトラフィックチャネルは、異なるホッピングパターンを有する。そのようなケースでは、少なくとも1つのホッピングパターンは、マルチキャスト制御チャネルのセットのための第1のホッピングパターンと、マルチキャストトラフィックチャネルのセットのためのホッピングパターンの第2のセットとを含み、マルチキャストトラフィックチャネルのセットの各マルチキャストトラフィックチャネルは、ホッピングパターンの第2のセットの複数の異なるホッピングパターンのうちの1つに基づいて送信される。さらに別の構成では、第1のセットの中の各マルチキャスト制御チャネルはその独自のホッピングパターンを有し、第2のセットの中の各マルチキャストトラフィックチャネルはその独自のホッピングパターンを有する。そのような構成では、基地局は、ホッピングパターンの第1のセットの第1の複数の異なるホッピングパターンのうちの1つに基づいて、マルチキャスト制御チャネルのセットの各マルチキャスト制御チャネルを送信し、ホッピングパターンの第2のセットの第2の複数の異なるホッピングパターンのうちの1つに基づいて、マルチキャストトラフィックチャネルのセットの各マルチキャストトラフィックチャネルを送信することができる。
【０１０１】
図12は、例示的な装置1202の中の様々な手段/コンポーネントの間のデータフローを示す概念データフロー図1200である。装置は基地局(たとえば、基地局180、310、502、950)であってよい。考察目的のために、装置1202は、図5に示す基地局502に対応し得ると見なすことができる。装置1202は、受信コンポーネント1204、構成コンポーネント1206、構成信号生成コンポーネント1208、処理および制御コンポーネント1210、ならびに送信コンポーネント1212を含み得る。
【０１０２】
受信コンポーネント1204は、UE1250など、他のデバイスからのメッセージおよび/または他の情報を受信し、処理するように構成され得る。受信コンポーネント1204によって受信された信号/情報は、装置1202において様々な動作を実施する際にさらに処理および使用するために、処理および制御コンポーネント1210ならびに/または装置1202の他のコンポーネントに提供されてよい。
【０１０３】
構成コンポーネント1206は、たとえば、周波数ダイバーシティを活用するために、マルチキャスト制御チャネルまたはマルチキャストトラフィックチャネルのうちの少なくとも1つにおけるマルチキャスト送信のために、周波数ホッピングがアクティブ化/有効にされるべきかどうかを決めるように構成され得る。構成コンポーネント1206は、周波数ホッピングが、マルチキャスト制御チャネルまたはマルチキャストトラフィックチャネルのうちの少なくとも1つに対して有効にされているとき、マルチキャスト制御チャネルまたはマルチキャストトラフィックチャネルのうちの少なくとも1つのための少なくとも1つのホッピングパターンを構成し得る。いくつかの構成では、構成コンポーネント1206は、SIBおよび/または他のブロードキャストチャネルの送信に使われる他の既存のホッピングパターンに基づいて、マルチキャスト送信用の少なくとも1つのホッピングパターンを構成することができる。いくつかのそのような構成では、構成コンポーネント1206は、1つまたは複数のSIBをホッピングするために使われるセル固有ホッピングパターンに対応するホッピングパラメータに基づいて、少なくとも1つのホッピングパターンを構成してよい。いくつかの他の構成では、構成コンポーネント1206は、マルチキャスト制御およびトラフィックチャネルにおけるマルチキャスト送信をホッピングするために独自に、および/または特に構成されたホッピングパラメータの1つもしくは複数のセットに基づいて、マルチキャスト制御チャネルまたはマルチキャストトラフィックチャネルのうちの少なくとも1つのために少なくとも1つのホッピングパターンを構成することができる。そのような構成では、構成コンポーネント1206は、マルチキャスト制御チャネルまたはマルチキャストトラフィックチャネルのうちの少なくとも1つにおけるマルチキャスト送信をホッピングするためのホッピングパラメータの1つまたは複数のセットを選択/構成することができる。マルチキャスト制御およびトラフィックチャネルに対するホッピングアクティブ化に関する情報と、構成されたホッピングパラメータ/パターンに関する情報とを含む構成情報は、構成コンポーネント1206から構成信号生成コンポーネント1208および装置1202の他のコンポーネントに提供される。
【０１０４】
構成信号生成コンポーネント1208は、たとえば、構成コンポーネント1206からの構成情報に基づいて、周波数ホッピングが、マルチキャスト制御チャネルまたはマルチキャストトラフィックチャネルのうちの少なくとも1つに対して有効にされているかどうかを示す情報を含む構成信号を生成するように構成され得る。構成信号は、周波数ホッピングがマルチキャスト制御チャネルに対して有効にされているかどうかを示す第1のホッピングインジケータまたは周波数ホッピングがマルチキャストトラフィックチャネルに対して有効にされているかどうかを示す第2のホッピングインジケータのうちの少なくとも1つを含み得る。たとえば、図5を参照すると、装置1202は基地局502であってよく、構成信号512は、UE504、506、...、510のうちの1つまたは複数に送るために、構成信号生成コンポーネント1208によって生成され得る。いくつかの構成では、構成信号は、マルチキャスト制御チャネルまたはマルチキャストトラフィックチャネルのうちの少なくとも1つのために構成された少なくとも1つのホッピングパターンを判断するのに使われ得るホッピングパラメータをさらに含み得る。構成信号生成コンポーネント1208によって生成された構成信号は、送信のために送信コンポーネントに提供されてよい。
【０１０５】
送信コンポーネント1212は、1つまたは複数の外部デバイス、たとえば、UE1250および他のUEにメッセージを送信するように構成され得る。たとえば、送信コンポーネント1212は、コンポーネント1208によって生成された構成信号をUE1250に送信するように構成され得る。いくつかの構成では、送信される構成信号は、マルチキャスト制御チャネルまたはマルチキャストトラフィックチャネルのうちの少なくとも1つに対して周波数ホッピングが有効にされているかどうかを示し、周波数ホッピングがマルチキャスト制御チャネルに対して有効にされているかどうかを示す第1のホッピングインジケータまたは周波数ホッピングがマルチキャストトラフィックチャネルに対して有効にされているかどうかを示す第2のホッピングインジケータのうちの少なくとも1つを含み得る。たとえば、図5を参照すると、送信される信号は構成信号512であってよい。以前論じたように、いくつかの構成では、送信される信号は、マルチキャスト制御チャネルに関連付けられ得る複数のマルチキャストトラフィックチャネルに対する周波数ホッピングアクティブ化の指示を含み得る。たとえば、いくつかの構成では、送信される信号は、複数のマルチキャストトラフィックチャネルの各々についての単一ビットホッピングインジケータを含むことができ、各単一ビットホッピングインジケータは、複数のマルチキャストトラフィックチャネルの中の対応するマルチキャストトラフィックチャネルに対して、周波数ホッピングが有効にされているかどうかを示す。いくつかの構成では、送信される信号は、1ビットホッピングインジケータの第1のセットおよび1ビットホッピングインジケータの第2のセットを含むことができ、第1のセットの中の各1ビットホッピングインジケータは、マルチキャスト制御チャネルのセットの対応するマルチキャスト制御チャネルに対して周波数ホッピングが有効にされているかどうかを示し、第2のセットの中の各1ビットホッピングインジケータは、マルチキャストトラフィックチャネルのセットの対応するマルチキャストトラフィックチャネルに対して周波数ホッピングが有効にされているかどうかを示す。
【０１０６】
いくつかの構成では、送信コンポーネント1212は単独で、制御コンポーネント1210との組合せで、および/またはその制御下で、周波数ホッピングがマルチキャスト制御チャネルまたはマルチキャストトラフィックチャネルのうちの少なくとも1つに対して有効にされているとき、(構成コンポーネント1206によって選択/構成された)少なくとも1つのホッピングパターンに基づいて、マルチキャスト制御チャネルまたはマルチキャストトラフィックチャネルのうちの少なくとも1つにおいてマルチキャスト送信を送信するようにさらに構成され得る。制御コンポーネント1210は、送信コンポーネント1212によって送信される1つまたは複数の信号の、送信スケジュールおよび/または送信タイミングを制御するように構成され得る。いくつかの構成では、制御コンポーネント1210は、送信コンポーネント1212内に実装され得る。マルチキャスト制御チャネルとマルチキャストトラフィックチャネルの両方が同じホッピングパラメータを有して構成される一構成では、送信コンポーネント1212は、同じホッピングパターンを使って、マルチキャスト制御チャネルおよびマルチキャストトラフィックチャネルにおいてマルチキャスト送信を送信するように構成されてよい。構成された少なくとも1つのホッピングパターンが、マルチキャスト制御およびトラフィックチャネル用に異なるホッピングパターンを含む場合、送信コンポーネント1212は、それらの対応する異なるホッピングパターンに基づいて、マルチキャスト制御およびトラフィックチャネルにおいてマルチキャスト送信を送信するように構成されてよい。
【０１０７】
本装置は、図11の上述のフローチャート中のアルゴリズムのブロックの各々を実施する追加コンポーネントを含み得る。したがって、図11の上述のフローチャートの中の各ブロックは、1つのコンポーネントによって実施されることがあり、装置は、それらのコンポーネントのうちの1つまたは複数を含むことがある。コンポーネントは、述べられたプロセス/アルゴリズムを遂行するように具体的に構成された1つまたは複数のハードウェアコンポーネントであるか、述べられたプロセス/アルゴリズムを実行するように構成されたプロセッサによって実装されるか、プロセッサによる実装のためにコンピュータ可読媒体内に記憶されるか、またはそれらの何らかの組合せであってよい。
【０１０８】
図13は、処理システム1314を採用する装置1202'のためのハードウェア実装形態の例を示す図1300である。処理システム1314は、バス1324によって全体的に表されるバスアーキテクチャで実装される場合がある。バス1324は、処理システム1314の特定の適用例および全体的な設計制約に応じて、任意の数の相互接続するバスおよびブリッジを含み得る。バス1324は、プロセッサ1304によって表される1つまたは複数のプロセッサおよび/またはハードウェアコンポーネントと、コンポーネント1204、1206、1208、1210、1212と、コンピュータ可読媒体/メモリ1306とを含む様々な回路を互いにリンクする。バス1324はまた、タイミングソース、周辺装置、電圧調整器、および電力管理回路などの様々な他の回路をリンクする場合があるが、これらの回路は当技術分野においてよく知られており、したがって、これ以上説明しない。
【０１０９】
処理システム1314は、トランシーバ1310に結合され得る。トランシーバ1310は1つまたは複数のアンテナ1320に結合される。トランシーバ1310は、送信媒体を通して様々な他の装置と通信するための手段を与える。トランシーバ1310は、1つまたは複数のアンテナ1320から信号を受信し、受信された信号から情報を抽出し、抽出された情報を処理システム1314、特に受信コンポーネント1204に与える。さらに、トランシーバ1310は、処理システム1314、特に送信コンポーネント1212から情報を受信し、受信された情報に基づいて、1つまたは複数のアンテナ1320に印加されるべき信号を生成する。処理システム1314は、コンピュータ可読媒体/メモリ1306に結合されたプロセッサ1304を含む。プロセッサ1304は、コンピュータ可読媒体/メモリ1306に記憶されたソフトウェアの実行を含む、一般的な処理を担当する。ソフトウェアは、プロセッサ1304によって実行されると、任意の特定の装置の上記で説明した様々な機能を処理システム1314に実施させる。コンピュータ可読媒体/メモリ1306は、ソフトウェアを実行するときにプロセッサ1304によって操作されるデータを記憶するためにも使用される場合がある。処理システム1314は、コンポーネント1204、1206、1208、1210、1212のうちの少なくとも1つをさらに含む。それらのコンポーネントは、プロセッサ1304内で動作し、コンピュータ可読媒体/メモリ1306に存在する/記憶されたソフトウェアコンポーネント、プロセッサ1304に結合された1つもしくは複数のハードウェアコンポーネント、またはそれらの何らかの組合せであってよい。処理システム1314は、基地局310のコンポーネントであることがあり、メモリ376、ならびに/またはTXプロセッサ316、RXプロセッサ370、およびコントローラ/プロセッサ375のうちの少なくとも1つを含むことがある。
【０１１０】
一構成では、ワイヤレス通信のための装置1202/1202'は、周波数ホッピングが、マルチキャスト制御チャネルまたはマルチキャストトラフィックチャネルのうちの少なくとも1つに対して有効にされているかどうかを示す信号を送信するための手段を含み、信号は、周波数ホッピングがマルチキャスト制御チャネルに対して有効にされているかどうかを示す第1のホッピングインジケータまたは周波数ホッピングがマルチキャストトラフィックチャネルに対して有効にされているかどうかを示す第2のホッピングインジケータのうちの少なくとも1つを含む。一構成では、送信するための手段は、周波数ホッピングがマルチキャスト制御チャネルまたはマルチキャストトラフィックチャネルのうちの少なくとも1つに対して有効にされているとき、少なくとも1つのホッピングパターンに基づいて、マルチキャスト制御チャネルまたはマルチキャストトラフィックチャネルのうちの少なくとも1つにおいてマルチキャスト送信を送信するようにさらに構成され得る。一構成では、装置1202/1202'は、マルチキャスト制御チャネルまたはマルチキャストトラフィックチャネルのうちの少なくとも1つにおけるマルチキャスト送信用の周波数ホッピングを有効にする/アクティブ化するための、および周波数ホッピングがマルチキャスト制御チャネルまたはマルチキャストトラフィックチャネルのうちの少なくとも1つに対して有効にされているとき、マルチキャスト制御チャネルまたはマルチキャストトラフィックチャネルのうちの少なくとも1つの、少なくとも1つのホッピングパターンを構成するための手段をさらに含み得る。
【０１１１】
いくつかの構成では、送信するための手段は、SIB中で、1つまたは複数のSIB用のセル固有ホッピングパターンに関する情報を送信するようにさらに構成され得る。いくつかのそのような構成では、マルチキャスト制御チャネルまたはマルチキャストトラフィックチャネルのうちの少なくとも1つにおいてマルチキャスト送信を送信するための少なくとも1つのホッピングパターンは、セル固有ホッピングパターンに基づく。
【０１１２】
上述の手段は、上述の手段によって列挙された機能を実施するように構成された装置1202および/または装置1202'の処理システム1314の上述のコンポーネントのうちの1つまたは複数であってよい。上記で説明されたように、処理システム1314は、TXプロセッサ316、RXプロセッサ370、およびコントローラ/プロセッサ375を含む場合がある。したがって、一構成では、上述の手段は、上述の手段によって列挙された機能を実施するように構成されたTXプロセッサ316、RXプロセッサ370、およびコントローラ/プロセッサ375であってよい。
【０１１３】
UEのワイヤレス通信の例示的方法は、周波数ホッピングが、マルチキャスト制御チャネルまたはマルチキャストトラフィックチャネルのうちの少なくとも1つに対して有効にされているかどうかを示す信号を受信するステップであって、信号は、周波数ホッピングがマルチキャスト制御チャネルに対して有効にされているかどうかを示す第1のホッピングインジケータまたは周波数ホッピングがマルチキャストトラフィックチャネルに対して有効にされているかどうかを示す第2のホッピングインジケータのうちの少なくとも1つを含む、ステップと、受信された信号に基づいて、周波数ホッピングが、マルチキャスト制御チャネルまたはマルチキャストトラフィックチャネルのうちの少なくとも1つに対して有効にされているかどうかを判断するステップとを含む。いくつかの構成では、信号は、周波数ホッピングがマルチキャスト制御チャネルに対して有効にされているかどうかを示す単一ビットを含む第1のホッピングインジケータを含む。いくつかの構成では、信号は、周波数ホッピングがマルチキャストトラフィックチャネルに対して有効にされているかどうかを示す単一ビットを含む第2のホッピングインジケータを含む。いくつかの構成では、信号は、周波数ホッピングがマルチキャスト制御チャネルに対して有効にされているかどうかを示すための第1のホッピングインジケータと、周波数ホッピングがマルチキャストトラフィックチャネルに対して有効にされているかどうかを示すための第2のホッピングインジケータとを含む。いくつかの構成では、信号は、複数のマルチキャストサービスに対応する複数のマルチキャストトラフィックチャネルの各々についての単一ビットホッピングインジケータを含み、各単一ビットホッピングインジケータは、複数のマルチキャストトラフィックチャネルの中の対応するマルチキャストトラフィックチャネルに対して周波数ホッピングが有効にされているかどうかを示す。いくつかの構成では、信号は1ビットホッピングインジケータの第1のセットおよび1ビットホッピングインジケータの第2のセットを含み、第1のセットの中の各1ビットホッピングインジケータは、マルチキャスト制御チャネルのセットの、対応するマルチキャスト制御チャネルに対して周波数ホッピングが有効にされているかどうかを示し、第2のセットの中の各1ビットホッピングインジケータは、マルチキャストトラフィックチャネルのセットの、対応するマルチキャストトラフィックチャネルに対して周波数ホッピングが有効にされているかどうかを示す。
【０１１４】
一構成では、方法は、周波数ホッピングがマルチキャスト制御チャネルまたはマルチキャストトラフィックチャネルのうちの少なくとも1つに対して有効にされているとき、マルチキャスト制御チャネルまたはマルチキャストトラフィックチャネルのうちの少なくとも1つにおいてマルチキャスト送信を受信するための少なくとも1つのホッピングパターンを判断するステップと、判断された少なくとも1つのホッピングパターンに基づいて、マルチキャスト制御チャネルまたはマルチキャストトラフィックチャネルのうちの少なくとも1つにおいてマルチキャスト送信を受信するステップとをさらに含む。いくつかの構成では、方法は、受信されたシステム情報ブロック(SIB)中のホッピングパラメータに基づいて、1つまたは複数のシステム情報ブロックSIBを受信するためのセル固有ホッピングパターンを判断するステップをさらに含み、マルチキャスト制御チャネルまたはマルチキャストトラフィックチャネルのうちの少なくとも1つにおいてマルチキャスト送信を受信するための少なくとも1つのホッピングパターンは、判断されたセル固有ホッピングパターンに基づいて判断される。いくつかの構成では、少なくとも1つのホッピングパターンの各ホッピングパターンは、基地局からの信号中で通信され得る、ホッピングオフセット、ホッピングするべき狭帯域の数、またはホッピング持続時間のうちの少なくとも1つを含むホッピングパラメータに基づいて判断される。
【０１１５】
一構成では、少なくとも1つのホッピングパターンは、マルチキャスト制御チャネルとマルチキャストトラフィックチャネルの両方のために使われる単一ホッピングパターンを含む。一構成では、少なくとも1つのホッピングパターンは、マルチキャスト制御チャネル用の第1のホッピングパターンおよびマルチキャストトラフィックチャネル用の第2のホッピングパターンを含む。一構成では、少なくとも1つのホッピングパターンは、マルチキャスト制御チャネル用の第1のホッピングパターンおよびマルチキャストトラフィックチャネルのセット用のホッピングパターンの第2のセットを含み、マルチキャストトラフィックチャネルのセットの各マルチキャストトラフィックチャネルは、ホッピングパターンの第2のセットの複数の異なるホッピングパターンのうちの1つに基づいて受信される。一構成では、少なくとも1つのホッピングパターンは、マルチキャスト制御チャネルのセット用のホッピングパターンの第1のセットおよびマルチキャストトラフィックチャネルのセット用のホッピングパターンの第2のセットを含み、マルチキャスト制御チャネルのセットの各マルチキャスト制御チャネルは、ホッピングパターンの第1のセットの第1の複数の異なるホッピングパターンのうちの1つに基づいて受信され、マルチキャストトラフィックチャネルのセットの各マルチキャストトラフィックチャネルは、ホッピングパターンの第2のセットの第2の複数の異なるホッピングパターンのうちの1つに基づいて受信される。
【０１１６】
開示されたプロセス/フローチャートにおけるブロックの特定の順序または階層は例示的な手法の例示であることを理解されたい。設計選好に基づいて、プロセス/フローチャートにおけるブロックの特定の順序または階層は、並べ替えられる場合があることを理解されたい。さらに、いくつかのブロックは組み合わされるかまたは省略される場合がある。添付の方法クレームは、様々なブロックの要素を例示的な順序で提示したものであり、提示された特定の順序または階層に限定されるものではない。
【０１１７】
上記の説明は、いかなる当業者も本明細書で説明する様々な態様を実践できるようにするために与えられる。これらの態様の様々な変更が、当業者には容易に明らかになり、本明細書において規定される一般原理は、他の態様に適用される場合がある。したがって、特許請求の範囲は、本明細書に示した態様に限定されるものではなく、クレーム文言と一致するすべての範囲を与えられるべきであり、単数形での要素への言及は、そのように明記されていない限り、「唯一無二の」ではなく、「1つまたは複数の」を意味するものとする。「例示的」という語は、本明細書では「例、事例、または例示として機能すること」を意味するために使用される。本明細書で「例示的」と記載されている任意の態様は、必ずしも他の態様よりも好ましいまたは有利であると解釈されるべきではない。別段特に述べられない限り、「いくつかの」という用語は、1つまたは複数を指す。「A、B、またはCのうちの少なくとも1つ」、「A、B、またはCのうちの1つまたは複数」、「A、B、およびCのうちの少なくとも1つ」、「A、B、およびCのうちの1つまたは複数」、「A、B、C、またはそれらの任意の組合せ」などの組合せは、A、B、および/またはCの任意の組合せを含み、複数のA、複数のB、または複数のCを含み得る。具体的には、「A、B、またはCのうちの少なくとも1つ」、「A、B、またはCのうちの1つまたは複数」、「A、B、およびCのうちの少なくとも1つ」、「A、B、およびCのうちの1つまたは複数」、「A、B、C、またはそれらの任意の組合せ」などの組合せは、Aのみ、Bのみ、Cのみ、AおよびB、AおよびC、BおよびC、またはAおよびBおよびCであってもよく、任意のそのような組合せは、A、B、またはCのうちの1つまたは複数のメンバーを含んでもよい。当業者に知られているか、または後に知られることになる、本開示全体を通じて説明された様々な態様の要素に対するすべての構造的および機能的均等物が、参照により本明細書に明確に組み込まれ、特許請求の範囲によって包含されることが意図される。さらに、本明細書で開示されたものは、そのような開示が特許請求の範囲に明示的に列挙されているかどうかにかかわらず、公に供されるものではない。「モジュール」、「機構」、「要素」、「デバイス」などの単語は、「手段」という単語の代用ではない場合がある。したがって、いかなるクレーム要素も、その要素が「のための手段」という語句を使用して明確に列挙されていない限り、ミーンズプラスファンクションとして解釈されるべきではない。
【符号の説明】
【０１１８】
100  アクセスネットワーク
102  基地局
102'  スモールセル
104  UE
110  地理的カバレージエリア、カバレージエリア
110'  カバレージエリア
120  通信リンク
132  バックホールリンク
134  バックホールリンク
150  Wi-Fiアクセスポイント(AP)
152  Wi-Fi局(STA)
154  通信リンク
160  発展型パケットコア(EPC)
162  モビリティ管理エンティティ(MME)
164  他のMME
166  サービングゲートウェイ
168  マルチメディアブロードキャストマルチキャストサービス(MBMS)ゲートウェイ
170  ブロードキャストマルチキャストサービスセンタ(BM-SC)
172  パケットデータネットワーク(PDN)ゲートウェイ
174  ホーム加入者サーバ(HSS)
176  IPサービス
180  gノードB(gNB)、mmW基地局
192  デバイス対デバイス(D2D)通信リンク
310  基地局
316  送信(TX)プロセッサ
318TX  送信機
318RX  受信機
320  アンテナ
350  UE
352  アンテナ
354RX  受信機
354TX  送信機
356  受信(RX)プロセッサ
358  チャネル推定器
359  コントローラ/プロセッサ
360  メモリ
368  TXプロセッサ
370  受信(RX)プロセッサ
374  チャネル推定器
375  コントローラ/プロセッサ
376  メモリ
412  eNB
412'  セル
414  eNB
414'  セル
420  UE
425  UE
500  通信システム、システム
502  基地局
504  UE
506  UE
510  UE
550  MCCH/SC-MCCH、マルチキャスト制御チャネル
552  MTCH/SC-MTCH、マルチキャストトラフィックチャネル
560  MTCH/SC-MTCH、マルチキャストトラフィックチャネル
902  装置
902'  装置
904  受信コンポーネント、コンポーネント
906  ホッピングアクティブ化判断コンポーネント、アクティブ化判断コンポーネント、コンポーネント
908  ホッピングパターン判断コンポーネント、コンポーネント
910  制御コンポーネント、コンポーネント
912  送信コンポーネント、コンポーネント
950  基地局
1004  プロセッサ
1006  コンピュータ可読媒体/メモリ
1010  トランシーバ
1014  処理システム
1020  アンテナ
1024  バス
1202  装置
1202'  装置
1204  受信コンポーネント、コンポーネント
1206  構成コンポーネント、コンポーネント
1208  構成信号生成コンポーネント、コンポーネント
1210  処理および制御コンポーネント、制御コンポーネント、コンポーネント
1212  送信コンポーネント、コンポーネント
1250  UE
1304  プロセッサ
1306  コンピュータ可読媒体/メモリ
1310  トランシーバ
1314  処理システム
1320  アンテナ
1324  バス
【図１】
0006912563.tif 000002
【図２Ａ】
0006912563.tif 000003
【図２Ｂ】
0006912563.tif 000004
【図２Ｃ】
0006912563.tif 000005
【図２Ｄ】
0006912563.tif 000006
【図３】
0006912563.tif 000007
【図４Ａ】
0006912563.tif 000008
【図４Ｂ】
0006912563.tif 000009
【図４Ｃ】
0006912563.tif 000010
【図５】
0006912563.tif 000011
【図６】
0006912563.tif 000012
【図７】
0006912563.tif 000013
【図８】
0006912563.tif 000014
【図９】
0006912563.tif 000015
【図１０】
0006912563.tif 000016
【図１１】
0006912563.tif 000017
【図１２】
0006912563.tif 000018
【図１３】
0006912563.tif 000019